(57)【要約】      （修正有）【課題】  袋を所定の開口部形状で開封でき、開封後、開封された袋を開閉可能な形態で封止でき、袋の開封および開封後の開閉を容易に行うことが可能な袋を提供する。【解決手段】  袋は、袋を開封させる際には所定の開口部形状で開封させることが可能であり、且つ開封後には、開封された袋の開口部を折り畳んだ状態で保持させて封止させることが可能な袋であって、外面に、テープ基材と粘着剤層とを少なくとも有しており、且つ前記テープ基材として、予め形成された凹部を有するテープ基材が用いられている袋の開封用テープが貼着されているとともに、外面の他の部位に、袋の外面に貼着させるための袋貼着部位と、開口部を折り畳んだ状態で保持させるための袋封止部位とが積層された構成を有している。【選択図】    図２２
2006077085.tif 000002
【特許請求の範囲】
【請求項１】
袋の外面に貼着させることにより、袋を所定の開口部形状で開封させることが可能な袋の開封用テープであって、テープ基材と粘着剤層とを少なくとも有しており、且つ前記テープ基材として、予め形成された凹部を有するテープ基材が用いられていることを特徴とする袋の開封用テープ。
【請求項２】
凹部が、開封用テープの長手方向に直線状乃至曲線状に形成された構成を有している請求項１記載の袋の開封用テープ。
【請求項３】
テープ基材の凹部における厚みが、凹部が形成されていない部分の厚みに対して９５％以下であり、且つ５μｍ以上である請求項１又は２記載の袋の開封用テープ。
【請求項４】
テープ基材の凹部における幅が、５ｍｍ以下である請求項１〜３の何れかの項に記載の袋の開封用テープ。
【請求項５】
テープ基材の一方の面側のみに凹部が予め形成されており、且つテープ基材の平面側の面に粘着剤層が形成されている請求項１〜４の何れかの項に記載の袋の開封用テープ。
【請求項６】
テープ基材における粘着剤層に対して反対側の面に、離型処理層が形成されている請求項１〜５の何れかの項に記載の袋の開封用テープ。
【請求項７】
袋の外面に貼着させることにより、袋を、開口部を折り畳んだ状態で保持させて封止させることが可能な袋の開閉用テープであって、袋の外面に貼着させるための袋貼着部位と、開口部を折り畳んだ状態で保持させるための袋封止部位とが積層された構成を有しており、且つ下記の（ａ）〜（ｅ）の構成を有していることを特徴とする袋の開閉用テープ。
（ａ）袋貼着部位を構成するテープ基材と、袋封止部位を構成するテープ基材とが、一方の端部側で接合している構成
（ｂ）袋貼着部位が、テープ基材の一方の面に、袋の外面に貼着させるための粘着剤層を有し、且つ他方の面に離型処理剤層を有する構成
（ｃ）袋封止部位が、テープ基材の一方の面に部分的に、開口部を折り畳んだ状態で保持させるための粘着剤層を有し、且つ他方の面に離型処理剤層を有する構成
（ｄ）袋貼着部位の離型処理剤層側の面と袋封止部位の粘着剤層側の面とが接触する形態で、袋貼着部位と袋封止部位とが積層された構成
（ｅ）袋封止部位の粘着剤層が、袋貼着部位と接合している接合部側の部位には形成されていない構成
【請求項８】
袋封止部位における袋貼着部位側の面において、少なくとも、袋貼着部位と接合している接合部から１ｍｍの範囲内の部位で、粘着剤層が形成されていない請求項７記載の袋の開閉用テープ。
【請求項９】
袋貼着部位を構成するテープ基材と、袋封止部位を構成するテープ基材とが、１枚の連続的に形成されているテープ基材が折り曲げられることにより形成された構造を有している請求項７又は８記載の袋の開閉用テープ。
【請求項１０】
袋封止部位が、袋貼着部位と接合していない端部側の部位に、摘み部を有している請求項７〜９の何れかの項に記載の袋の開閉用テープ。
【請求項１１】
所定の開口部形状で開封させることが可能な袋であって、外面に、請求項１〜６の何れかの項に記載の袋の開封用テープが貼着されていることを特徴とする袋。
【請求項１２】
袋の内面同士を接着させた封止端部を有しており、且つ袋の開封用テープが、袋の一方の面または両面に、袋の封止端部よりも内側の外面の部位に、該封止端部側の端部と平行な方向に、全面的に貼着されている請求項１１記載の袋。
【請求項１３】
袋の開封用テープが、袋の両面に、表裏対称または表裏非対称となるように貼着されている請求項１２記載の袋。
【請求項１４】
袋の一方の面に袋の開封用テープが貼着されており、且つ袋の開封用テープが貼着されていない側の面に押切加工が施されている請求項１０〜１３の何れかの項に記載の袋。
【請求項１５】
押切加工が、他方の面に貼着された袋の開封用テープにおけるテープ基材に形成されている凹部の位置に対応した位置に施されている請求項１４記載の袋。
【請求項１６】
袋の開封用テープにおけるテープ基材に形成された凹部に沿って袋を開封させる際の切断きっかけ用切れ目が、袋の開封用テープが貼着された部位の長手方向の端部に、形成されている請求項１１〜１５の何れかの項に記載の袋。
【請求項１７】
袋が、４方袋、３方袋、ピロー袋、スタンディングパウチ、またはガゼット袋である請求項１１〜１６の何れかの項に記載の袋。
【請求項１８】
袋が長方形型の４方袋であり、袋の開封用テープが、長方形型の４方袋の内面同士を接着させた４辺の封止端部における２辺の長辺の封止端部のうち、一方の長辺の封止端部側に貼着されている請求項１７記載の袋。
【請求項１９】
開口部を折り畳んだ状態で保持させて封止させることが可能な袋であって、外面に、請求項７〜１０の何れかの項に記載の袋の開閉用テープが貼着されていることを特徴とする袋。
【請求項２０】
袋の開閉用テープが、袋の開口部を折り畳んだ際に、開口部を折り畳んだ際の端部又は端部側の部位を、袋貼着部位と袋封止部位との間に位置させることができるように、袋封止部位の解放端部側が袋の開口部側に位置するように、袋の外面に貼着されている請求項１９記載の袋。
【請求項２１】
袋の開閉用テープが、袋の何れかの端部における幅方向に、少なくとも部分的に、貼着されている請求項１９又は２０記載の袋。
【請求項２２】
袋の開閉用テープにおける袋封止部位と袋貼着部位とが接合している接合部と平行な方向の長さが、袋の開閉用テープが貼着されている側の端部の長さに対して３〜１００％の長さである請求項２１記載の袋。
【請求項２３】
袋が、４方袋、３方袋、ピロー袋、スタンディングパウチ、またはガゼット袋である請求項１９〜２２の何れかの項に記載の袋。
【請求項２４】
袋が長方形型の４方袋であり、袋の開閉用テープが、長方形型の４方袋の内面同士を接着させた４辺の封止端部における２辺の長辺の封止端部のうち、一方の長辺の封止端部側に貼着されている請求項２３記載の袋。
【請求項２５】
袋を開封させる際には所定の開口部形状で開封させることが可能であり、且つ開封後には、開封された袋の開口部を折り畳んだ状態で保持させて封止させることが可能な袋であって、外面に、請求項１〜６の何れかの項に記載の袋の開封用テープが貼着されているとともに、外面の他の部位に、請求項７〜１０の何れかの項に記載の袋の開閉用テープが貼着されていることを特徴とする袋。
【請求項２６】
袋の開封用テープが、袋の開閉用テープが設けられていない面側に少なくとも設けられており、袋を開封した後、開封された袋の開口部を袋の開閉用テープが設けられている側に折り畳み、開閉用テープの袋封止部位を、袋の開口部において残存している開封用テープの剥離面に貼付させることにより、開封された袋を開閉可能な形態で封止することができる請求項２５記載の袋。
【請求項２７】
袋の開封用テープが、テープ基材の幅方向の中央部よりも幅方向の何れかの端部側にずれた位置に且つテープ基材の長手方向に平行に直線状に、凹部が形成され、且つテープ基材における粘着剤層に対して反対側の面に、離型処理層が形成された構成を有しており、袋の開封用テープにおける凹部がずれて形成されている側の端部が、袋の端部側に位置する形態で、袋の開封用テープが袋の外面に貼着されている請求項２５又は２６記載の袋。
【発明の詳細な説明】
【技術分野】
【０００１】
本発明は、袋を所定の開口部形状で開封させるための袋の開封用テープ、袋を開口部を折り畳んだ状態で保持させて封止させるための袋の開閉用テープ、および、袋の開封用テープ及び袋の開閉用テープのうち少なくとも何れか一方が貼着されている袋に関する。
【背景技術】
【０００２】
袋として、例えば、密閉された形態の袋（「密閉袋」と称する場合がある）などの閉鎖系の袋（「閉鎖系袋」と称する場合がある）などでは、通常、内部に内容物を収納した後、袋の内面同士を、各種接着方法（熱融着による接着方法や接着剤を用いた接着方法など）により接着させて封止し、閉鎖（密閉）している。このような閉鎖系袋から内容物を取り出す際には、もちろん、開封することが必要である。この際、閉鎖系袋における内面どうしが接着され封止された端部（封止端部）付近を、幅方向に、手で直線状や任意の曲線状に切断して開封しようとしても、意図しない方向に曲がってしまい、袋の内容物が不本意にこぼれ落ちたり、切断面又は開口部の形状（開口部形状）の美観を損ねたりすることがあり、目的とする開口部形状となるように開封するためには、なんらかの工夫が必要である。
【０００３】
従来、目的とする開口部形状となるように手で開封する方法として、例えば、（1a）袋の開封しようとする部位の内面側に、切り取り用の糸や細い金属線を取り付ける方法、（1b）袋の開封しようとする部位の内面側に、一方向に裂ける性質を有するフィルムを取り付ける方法、（1c）予め作製された粘着テープの中央部に直線状の切り込み部を設けた開封用テープを、袋の開封しようとする部位に貼り付け、前記切り込み部を利用して切断する方法（特許文献１参照）、（1d）２本乃至４本の粘着テープを所定の位置関係で貼り合わせ、粘着テープ間の隙間部を利用して切断する方法（特許文献２参照）などが提案されている。
【０００４】
前記（1a）の方法や（1b）の方法では、糸やフィルムを袋の内面側に取り付けるには、特別な製造装置や技術を必要とすること、閉鎖系袋にする前に取り付けなければならず、閉鎖系袋にしてからでは、取り付けが困難になるので、製造工程に制約があること、閉鎖系袋の内面側に金属線などを取り付けると、保管又は保存中に破袋する虞があり、密封性が損なわれる可能性があること、一方向に裂ける性質を有するフィルムを使用する場合は、コストが高くなったり、素材が限定されてしまうことなどの問題があった。
【０００５】
また、前記（1c）の方法や（1d）の方法では、粘着テープに切り込みをいれるなどの二次加工工程が必要となり、コスト高になること、粘着テープを片面で２本、または両面で最大４本を貼り合わせる必要があり、貼り合わせ装置が複雑化するとともに、粘着テープの交換など、貼り合わせ加工が困難であることなどの問題があった。
【０００６】
一方、閉鎖系袋が開封された袋等の開口部を有する袋（「開口袋」と称する場合がある）において、袋に収納されている内容物のすべてを取り出す場合は、問題がないが、内容物のすべてを取り出さず、少なくとも一部を袋内にそのまま保管又は保存する場合がある。このように、閉鎖系袋の開封後等の開口袋に、内容物の少なくとも一部をそのまま袋内に保管する場合や、他の物品を収納させて保管する場合、開封された袋（「開封袋」と称する場合がある）等の開口袋における開口部を、開閉が可能な形態で封止することが求められ、特に、容易に開閉することが可能な形態や、何度も開閉することが可能な形態で封止することができることが好ましい。
【０００７】
従来、開封袋等の開口袋における開口部を、開閉が可能な形態で封止する方法として、例えば、（2a）プラスチック製の凹凸のジッパー（雄雌のジッパー）を利用して開閉可能な形態で封止する方法、（2b）粘着テープを貼り付けて、開閉可能な形態で封止する方法などが提案されている。
【０００８】
前記（2a）の方法では、プラスチック製の凹凸のジッパーが必要であり、製造コストが高くなること、さらには、手先の不自由な人（年配者など）が開閉する際には、扱いづらいことなどの問題があった。
【０００９】
また、前記（2b）の方法では、まず、貼り付ける粘着テープの粘着面を保護した上での保存箇所をどうするのかが問題となる。例えば、開口袋とは別に室内にある粘着テープカッターから粘着テープを切り出して使用する事も考えられるが、粘着テープ止めを行おうとした場所に、粘着テープカッター等が常にあるとは限らない。また、閉鎖系袋に予め直接粘着テープを貼り付けておき、閉鎖系袋を開封した後に、剥がして使用する場合も考えられるが、この場合、閉鎖系袋を開封した開口袋から粘着面が綺麗に剥がれる必要があり、袋の材質、粘着テープの粘着性などにかなりの制限が生じる。しかも、一度、粘着テープで封止した後に開封する際に、開口袋の袋材を破壊するほど強接着であったり、接着が弱く、途中で剥がれたりする問題があった。
【００１０】
【特許文献１】登録実用新案公報第３０３１３６２号公報
【特許文献２】特開２０００−１６８７９６号公報
【発明の開示】
【発明が解決しようとする課題】
【００１１】
従って、本発明の目的は、袋を所定の開口部形状で開封させることができ、また、袋に貼り付ける際には特別な装置や技術を必要とせず、且つ袋の製造工程に特別な制約を生じさせず、さらに、保管中の破袋の虞がなく、さらにまた、素材の性質が限定されず、しかも、二次加工を必要とせず、さらに貼り合わせ作業性が優れている袋の開封用テープ、および該袋の開封用テープが貼着された袋を提供することにある。
【００１２】
本発明の他の目的は、袋を開閉可能な形態で封止させることができ、しかも、袋の開閉操作を容易に行うことが可能な袋の開閉用テープ、および該袋の開閉用テープが貼着された袋を提供することにある。
【００１３】
本発明のさらに他の目的は、袋を所定の開口部形状で開封させることができるとともに、開封後、開封された袋を開閉可能な形態で封止させることができ、しかも、袋の開封および開封後の開閉を容易に行うことが可能な袋を提供することにある。
【課題を解決するための手段】
【００１４】
本発明者らは前記目的を達成するために鋭意検討した結果、特定の開封用テープと開閉用テープとを用いることにより、袋を所定の開口部形状で容易に手で開封させることができるとともに、開封後には、開封袋を開閉可能な形態で容易に封止させることができることを見出した。本発明はこれらの知見に基づいて完成されたものである。
【００１５】
すなわち、本発明は、袋の外面に貼着させることにより、袋を所定の開口部形状で開封させることが可能な袋の開封用テープであって、テープ基材と粘着剤層とを少なくとも有しており、且つ前記テープ基材として、予め形成された凹部を有するテープ基材が用いられていることを特徴とする袋の開封用テープである。
【００１６】
前記袋の開封用テープにおいて、凹部としては、開封用テープの長手方向に直線状乃至曲線状に形成された構成を有していることが好ましい。また、テープ基材の凹部における厚みとしては、凹部が形成されていない部分の厚みに対して９５％以下であり、且つ５μｍ以上であることが好ましく、テープ基材の凹部における幅としては、５ｍｍ以下であることが好ましい。さらにまた、テープ基材の一方の面側のみに凹部が予め形成されており、且つテープ基材の平面側の面に粘着剤層が形成されていることが好適である。
【００１７】
また、袋の開封用テープとしては、テープ基材における粘着剤層に対して反対側の面に、離型処理層が形成されていることが好ましい。
【００１８】
本発明は、また、袋の外面に貼着させることにより、袋を、開口部を折り畳んだ状態で保持させて封止させることが可能な袋の開閉用テープであって、袋の外面に貼着させるための袋貼着部位と、開口部を折り畳んだ状態で保持させるための袋封止部位とが積層された構成を有しており、且つ下記の（ａ）〜（ｅ）の構成を有していることを特徴とする袋の開閉用テープである。
（ａ）袋貼着部位を構成するテープ基材と、袋封止部位を構成するテープ基材とが、一方の端部側で接合している構成
（ｂ）袋貼着部位が、テープ基材の一方の面に、袋の外面に貼着させるための粘着剤層を有し、且つ他方の面に離型処理剤層を有する構成
（ｃ）袋封止部位が、テープ基材の一方の面に部分的に、開口部を折り畳んだ状態で保持させるための粘着剤層を有し、且つ他方の面に離型処理剤層を有する構成
（ｄ）袋貼着部位の離型処理剤層側の面と袋封止部位の粘着剤層側の面とが接触する形態で、袋貼着部位と袋封止部位とが積層された構成
（ｅ）袋封止部位の粘着剤層が、袋貼着部位と接合している接合部側の部位には形成されていない構成
【００１９】
前記袋の開閉用テープでは、袋封止部位における袋貼着部位側の面において、少なくとも、袋貼着部位と接合している接合部から１ｍｍの範囲内の部位で、粘着剤層が形成されていないことが好ましい。また、袋貼着部位を構成するテープ基材と、袋封止部位を構成するテープ基材とが、１枚の連続的に形成されているテープ基材が折り曲げられることにより形成された構造を有していることが好ましい。さらに、袋封止部位が、袋貼着部位と接合していない端部側の部位に、摘み部を有していることが好適である。
【００２０】
本発明は、さらに、所定の開口部形状で開封させることが可能な袋であって、外面に、前記袋の開封用テープが貼着されていることを特徴とする袋を提供する。
【００２１】
前記袋において、袋の開封用テープでは、袋の内面同士を接着させた封止端部を有しており、且つ袋の開封用テープが、袋の一方の面または両面に、袋の封止端部よりも内側の外面の部位に、該封止端部側の端部と平行な方向に、全面的に貼着されていることが好ましい。また、袋の開封用テープは、袋の両面に、表裏対称または表裏非対称となるように貼着されていてもよい。さらにまた、袋の一方の面に袋の開封用テープが貼着されており、且つ袋の開封用テープが貼着されていない側の面に押切加工が施されていることが好ましく、この押切加工としては、他方の面に貼着された袋の開封用テープにおけるテープ基材に形成されている凹部の位置に対応した位置に施されていることが好適である。さらに、袋の開封用テープにおけるテープ基材に形成された凹部に沿って袋を開封させる際の切断きっかけ用切れ目が、袋の開封用テープが貼着された部位の長手方向の端部に、形成されていてもよい。
【００２２】
袋としては、４方袋、３方袋、ピロー袋、スタンディングパウチ、またはガゼット袋の何れの形態の袋であってもよい。袋としては、袋が長方形型の４方袋であり、袋の開閉用テープが、長方形型の４方袋の内面同士を接着させた４辺の封止端部における２辺の長辺側の封止端部のうち、一方の長辺の封止端部側に貼着されていることが好ましい。
【００２３】
本発明は、さらにまた、開口部を折り畳んだ状態で保持させて封止させることが可能な袋であって、外面に、前記袋の開閉用テープが貼着されていることを特徴とする袋を提供する。
【００２４】
前記袋の開閉用テープは、袋の開口部を折り畳んだ際に、開口部を折り畳んだ際の端部又は端部側の部位を、袋貼着部位と袋封止部位との間に位置させることができるように、袋封止部位の解放端部側が袋の開口部側に位置するように、袋の外面に貼着されていることが好適である。また、袋の開閉用テープは、袋の何れかの端部における幅方向に、少なくとも部分的に、貼着されていてもよく、袋の開閉用テープにおける袋封止部位と袋貼着部位とが接合している接合部と平行な方向の長さが、袋の開閉用テープが貼着されている側の端部の長さに対して３〜１００％の長さであってもよい。
【００２５】
袋としては、４方袋、３方袋、ピロー袋、スタンディングパウチ、またはガゼット袋の何れの形態の袋であってもよい。袋としては、長方形型の４方袋であり、袋の開閉用テープが、長方形型の４方袋の内面同士を接着させた４辺の封止端部における２辺の長辺側の封止端部のうち、一方の長辺の封止端部側に貼着されていることが好ましい。
【００２６】
本発明は、さらにまた、袋を開封させる際には所定の開口部形状で開封させることが可能であり、且つ開封後には、開封された袋の開口部を折り畳んだ状態で保持させて封止させることが可能な袋であって、外面に、前記袋の開封用テープが貼着されているとともに、外面の他の部位に、前記袋の開閉用テープが貼着されていることを特徴とする袋を提供する。
【００２７】
このような袋の開封用テープと袋の開閉用テープとが貼着されている袋としては、袋の開封用テープが、袋の開閉用テープが設けられていない面側に少なくとも設けられており、袋を開封した後、開封された袋の開口部を袋の開閉用テープが設けられている側に折り畳み、開閉用テープの袋封止部位を、袋の開口部において残存している開封用テープの剥離面に貼付させることにより、開封された袋を開閉可能な形態で封止することができることが好適である。特に、袋の開封用テープが、テープ基材の幅方向の中央部よりも幅方向の何れかの端部側にずれた位置に且つテープ基材の長手方向に平行に直線状に、凹部が形成され、且つテープ基材における粘着剤層に対して反対側の面に、離型処理層が形成された構成を有しており、袋の開封用テープにおける凹部がずれて形成されている側の端部が、袋の端部側に位置する形態で、袋の開封用テープが袋の外面に貼着されていることが好ましい。
【発明の効果】
【００２８】
本発明の袋の開封用テープによれば、袋を所定の開口部形状で開封させることができ、また、袋に貼り付ける際には特別な装置や技術を必要とせず、且つ袋の製造工程に特別な制約を生じさせず、さらに、保管中の破袋の虞がなく、さらにまた、素材の性質が限定されず、しかも、二次加工を必要とせず、さらに貼り合わせ作業性が優れている。
【００２９】
また、本発明の袋の開閉用テープによれば、袋を開閉可能な形態で封止させることができ、しかも、袋の開閉操作を容易に行うことが可能である。
【００３０】
従って、本発明の袋によれば、袋を所定の開口部形状で開封させることができるとともに、開封後、開封された袋を開閉可能な形態で封止させることができ、しかも、袋の開封および開封後の開閉を容易に行うことが可能である。
【発明を実施するための最良の形態】
【００３１】
以下に、本発明の実施の形態を、必要に応じて図面を参照しつつ詳細に説明する。なお、同一の部材や部位などには同一の符号を付している場合がある。
【００３２】
［袋の開封用テープ］
図１は、本発明の袋の開封用テープの一例を示す概略断面図である。図１において、１は袋の開封用テープ（単に「開封用テープ」と称する場合がある）、１ａはテープ基材、１ａ１はテープ基材１ａに予め形成された凹部、１ｂは粘着剤層、１ｃは離型処理剤層である。なお、図１で示される開封用テープの断面図は、開封用テープの長手方向に対して垂直な方向で切断した際の断面図であり、図の左右の方向が幅方向となっている。
【００３３】
図１で示される開封用テープ１は、予め形成された凹部１ａ１を有するテープ基材１ａと、テープ基材１ａの平面側の面に形成された粘着剤層１ｂと、テープ基材１ａの凹部を有する面側に形成された離型処理剤層１ｃとにより構成されている。このように、本発明の開封用テープでは、予め所定の位置に凹部が形成されたテープ基材が用いられているので、テープ基材に形成された凹部を利用して、凹部に沿って袋を切断する（特に、手で切断する）ことが可能となっている。そのため、本発明の開封用テープを利用すると、手で容易に切断して、袋を所定の開口部形状で開封させることができる。
【００３４】
しかも、前記開封用テープでは、予め所定の位置に凹部が形成されたテープ基材を用いており、テープ基材上に粘着剤層を形成して粘着テープを作製した後に、凹部を形成しているのではないので、粘着テープに凹部を形成させるための二次加工工程を必要とせず、通常の粘着テープと同様の製造工程で製造することができ、この観点からはコスト高にはならない。
【００３５】
また、開封用テープのテープ基材に凹部が形成されているので、１本の開封用テープを袋の開封しようとする部位（開封予定部位）に凹部が位置するように、袋の外面に貼り合わせるだけでよく、同一側の面上に粘着テープ２本を所定の位置関係で貼り合わせる必要がない。しかも、袋が内面同士を接着させた封止端部を有しており、開封用テープを、袋の両面に、封止端部側の部位（例えば、袋の封止端部よりも内側の外面の部位）に貼り合わせる場合でも、表裏に貼り合わせられている開封用テープの位置関係が、正確又はほぼ正確な表裏対称な位置関係となっておらず、多少ずれていても、開封時には、この多少のズレを吸収して開封することができる構造となっている。そのため、開封用テープを袋に貼り合わせる際には、複雑化された貼り合わせ装置を必要とせず、簡便な貼り合わせ装置で貼り合わせることが可能である。さらに、１本の開封用テープを用いているだけであるので、貼り合わせ作業中に開封用テープを交換する際にも、容易に開封用テープの交換を行うことができる。従って、貼り合わせ加工が容易であり、優れた貼り合わせ作業性で、開封用テープを袋に貼り合わせることができる。
【００３６】
さらに、本発明では、開封用テープを袋の外面に貼り合わせており、袋の内面側に切り取り用の糸や細い金属線、あるいは一方向に裂ける性質を有するフィルムを取り付けているのではないので、開封用部材としての開封用テープを袋に貼り付ける際には、特別な装置や技術を必要としない。しかも、密閉袋等の閉鎖系袋の開封用テープとして用いる場合、袋の密閉前、密閉中、密閉後のいつであっても、開封用テープを袋又は袋部材に貼り付けることができるので、袋の製造工程に特別な制約を生じさせることがない。なお、密閉袋等の閉鎖系袋に対して適用する場合、開封用テープは、通常は、袋を密閉した後に貼り付けており、袋の開封予定部位に、容易に貼り付けることが可能となっている。
【００３７】
さらにまた、開封用テープには、金属線などの破袋させる可能性のあるものが使用されていないので、保管又は保存中に、破袋の虞がなく、例えば、開封用テープの貼着により閉鎖系袋の閉鎖性（特に、密閉性）が損なわれる可能性がない。そのため、開封用テープが貼着された袋を保管や保存する際には、特別な条件を生じさせない。
【００３８】
また、テープ基材としては、予め凹部が形成されたテープ基材を用いているだけであるので、開封用テープにおける各部材の素材として、一方向に裂ける性質などの素材の性質に特別な限定を生じさせない。
【００３９】
（テープ基材）
テープ基材としては、前述のように、予め凹部が形成されているテープ基材が用いられている。なお、テープ基材に形成された凹部は、袋（閉鎖系袋など）を開封する際の切断部として利用されるので、テープ基材の所定の位置に所定の形状で形成されていることが重要である。また、テープ基材は、通常、長尺状（特に長尺帯状）の形態を有しており、凹部は、全体として、長尺状のテープ基材の長手方向に向かって形成されていることが重要である。すなわち、凹部は、開封用テープとした際に、開封用テープの長手方向に向かって形成されるような形態で、テープ基材に形成されていることが重要である。なお、開封用テープ（又はテープ基材）の長手方向に向かって形成された凹部は、長手方向に平行に形成されていてもよく、長手方向に非平行に形成されていてもよい。また、開封用テープ（又はテープ基材）の長手方向に平行に形成された凹部は、凹部全体として、長手方向に平行に形成されていればよく、部分的又は局所的には、長手方向に非平行な部位があってもよい。
【００４０】
凹部としては、テープ基材の両面に形成されていてもよいが、何れか一方の面に形成されていることが好ましい。また、テープ基材の一方の面側において、長手方向に向かって形成された長尺状の凹部は、平行又は非平行に、複数個形成されていてもよいが、１個のみが形成されていることが好ましい。
【００４１】
なお、本発明の開封用テープでは、長手方向に向かって形成された長尺状の凹部としては、全体として長尺状の凹部となっていればよく、例えば、下記に示されるような直線状や曲線状の凹部が１個形成されていることにより、全体として長尺状の凹部が形成されていてもよく、また、複数個の凹部が、全体として直線状や曲線状に連続的に形成されていることにより（例えば、点線状の凹部が形成されていることにより）、全体として長尺状の凹部が形成されていてもよい。
【００４２】
このような凹部としては、長手方向に直線状［例えば、図２（ａ）で示されるような長手方向に平行な「一」字型形状、図２（ｂ）で示されるような「Ｖ」字型形状や、これらを組み合わせた形状など］、長手方向に曲線状［例えば、図２（ｃ）で示されるような「Ｕ」字型形状、図２（ｄ）で示されるような波線形状や、これらを組み合わせた形状など］や、これらの直線状及び曲線状を組み合わせた形状など如何なる形状で形成されていてもよい。従って、開封用テープにおける凹部は、開封用テープの長手方向に直線状乃至曲線状に形成された構成を有していることが好ましい。なお、長手方向に曲線状の凹部が形成されている場合、曲線状の凹部は、全体としては、長手方向に平行に形成することができる。
【００４３】
図２は、本発明におけるテープ基材に予め形成されている凹部の一例を部分的に示す概略斜視図である。図２において、（ａ）は「一」字型形状の直線状に形成された凹部を示しており、（ｂ）は「Ｖ」字型形状の直線状に形成された凹部を示しており、（ｃ）は「Ｕ」字型形状の曲線状に形成された凹部を示しており、（ｄ）は波線形状の曲線状に形成された凹部を示している。尚、図２において、２ａ〜２ｄは、それぞれ、テープ基材であり、２ａ１〜２ｄ１は、それぞれ、テープ基材２ａ〜２ｄにおける凹部である。
【００４４】
本発明の開封用テープでは、テープ基材に形成された凹部が、テープ基材の長手方向に平行に直線状に形成されている場合、該凹部としては、テープ基材の幅方向の中央部に形成されていてもよく、テープ基材の幅方向の中央部よりも幅方向の何れかの端部側にずれた位置に形成されていてもよい。テープ基材の長手方向に平行に直線状に形成されている凹部が、テープ基材の幅方向の中央部よりも幅方向の何れかの端部側にずれた位置に形成されていると、袋に貼着している開封用テープの凹部に沿って、袋を切断した際に、袋本体部としての開封された袋（開封袋）に残存する開封用テープの残存物の幅を調整することができる。例えば、開封袋等の開口部を有する袋（開口袋）に、残存する開封用テープの残存物の幅が多い方が好ましい場合は、開封用テープにおける凹部がずれて形成されている側の端部が、袋（開封する前の袋）の端部側に位置する形態で、開封用テープを袋の外面に貼着することができ、一方、開封袋等の開口袋に、残存する開封用テープの残存物の幅が少ない方が好ましい場合は、開封用テープにおける凹部がずれて形成されている側の端部が、袋（開封する前の袋）の端部側に位置しない形態で（すなわち、開封用テープにおける凹部がずれて形成されていない側の端部が、袋（開封する前の袋）の端部側に位置する形態で）、開封用テープを袋の外面に貼着することができる。
【００４５】
なお、本発明では、テープ基材に形成された凹部は、袋を開封する際の切断部として利用されるので、凹部の長手方向の形状を、切断部の形状（すなわち、開口部形状）とすることができる。そのため、テープ基材に予め形成される凹部の形状は、袋の開口部形状に応じて適宜設定することができる。逆に、袋の開口部形状は、凹部の長手方向の形状を適宜調整することにより、任意の種々の形状とすることができる。
【００４６】
また、テープ基材に予め形成された凹部において、長手方向に対して垂直な方向（幅方向）で切断した際の断面形状としては、特に制限されず、図３（ａ）で示されるような「コ」字型形状、図３（ｂ）で示されるような「Ｖ」字型形状、図３（ｃ）で示されるような「Ｕ」字型形状や、これらを組み合わせた形状など如何なる断面形状であってもよい。凹部の断面形状としては、「コ」字型形状、「Ｖ」字型形状が好ましく、さらには「コ」字型形状が好適である。
【００４７】
図３は、本発明におけるテープ基材に予め形成されている凹部の一例を示す概略断面図である。なお、図３で示されるテープ基材の断面図は、テープ基材の長手方向に対して垂直な方向（幅方向）で切断した際の断面図であり、図１と同様に、図の左右の方向が幅方向となっている。図３において、（ａ）は「コ」字型形状に形成された凹部を示しており、（ｂ）は「Ｖ」字型形状に形成された凹部を示しており、（ｃ）は「Ｕ」字型形状に形成された凹部を示している。尚、図３において、３ａ〜３ｃは、それぞれ、テープ基材であり、３ａ１〜３ｃ１は、それぞれ、テープ基材３ａ〜３ｃにおける凹部である。
【００４８】
テープ基材に予め形成された凹部において、凹部の幅としては、特に制限されず、５ｍｍを超えていてもよいが、５ｍｍ以下（例えば、０．１〜５ｍｍ）であることが好ましく、特に３ｍｍ以下（例えば、１〜３ｍｍ）であることが好適である。凹部の幅が広すぎると、袋を開封した際の開口部形状がギザギザになり易く、開口部形状の美観性が低下する。
【００４９】
また、テープ基材に予め形成された凹部において、凹部の厚みとしては、特に制限されず、凹部が形成されていない部分（「凹部非形成部」と称する場合がある）の厚みよりも薄くなっていればよいが、凹部非形成部の厚みに対して９５％以下であることが好ましく、特に凹部非形成部の厚みに対して８０％以下（なかでも７０％以下）であることが好適である。凹部の厚みが、凹部非形成部の厚みに対して９５％を超えていると、テープ基材の素材などにもよるが、凹部に沿って切断することが困難になる場合がある。
【００５０】
なお、凹部の厚みにおいて、凹部非形成部の厚みに対する割合の下限としては、特に制限されないが、凹部の厚みが薄すぎると、テープ基材を製造する際に凹部が切断されやすくなり、テープ基材の製造安定性や製造作業性が低下する。そのため、凹部の厚みとしては、テープ基材の素材などに応じて、５μｍ未満であってもよいが、５μｍ以上であることが好ましく、特に１０μｍ以上（なかでも２０μｍ以上）であることが好適である。
【００５１】
このようなテープ基材としては、例えば、プラスチック製基材により作製することができる。前記プラスチック製基材を構成する素材又は材料としては、特に制限されず、例えば、ポリエチレン（ＰＥ）、ポリプロピレン（ＰＰ）、エチレン−プロピレン共重合体、エチレン−酢酸ビニル共重合体（ＥＶＡ）等のポリオレフィン系樹脂；ポリイミド（ＰＩ）；ポリエチレンテレフタレート（ＰＥＴ）、ポリエチレンナフタレート（ＰＥＮ）、ポリブチレンテレフタレート（ＰＢＴ）等のポリエステル系樹脂；ポリアミド（ナイロン）、全芳香族ポリアミド（アラミド）等のポリアミド系樹脂；ポリメチルメタクリレート（ＰＭＭＡ）等のメタクリレート系樹脂；アクリル系樹脂；ポリスチレン、アクリロニトリル−スチレン共重合体（ＡＳ樹脂）、アクリロニトリル−ブタジエン−スチレン共重合体（ＡＢＳ樹脂）等のスチレン系樹脂；ポリ塩化ビニル（ＰＶＣ）；ポリビニルアルコール；ポリフェニレンスルフィド（ＰＰＳ）；ポリエーテルエーテルケトン（ＰＥＥＫ）；ポリカーボネート；ウレタン系樹脂：エポキシ系樹脂；フッ素系樹脂などの各種樹脂が挙げられる。これらの素材は単独で又は２種以上組み合わせて使用することができる。
【００５２】
プラスチック製基材としては、柔軟性やコスト等の観点から、ポリオレフィン系樹脂（なかでもポリエチレンやポリプロピレン、特にポリプロピレン）により形成されているプラスチック製基材が好適である。
【００５３】
なお、テープ基材は、単層、積層のいずれの形態を有していてもよい。
【００５４】
テープ基材の表面には、粘着剤層等との密着力の向上等を目的に、コロナ処理やプラズマ処理等の物理的処理、下塗り剤等の化学的処理などの適宜な表面処理が施されていてもよい。
【００５５】
テープ基材の厚みとしては、特に制限されないが、通常、５〜１０００μｍ（好ましくは１０〜５００μｍ）である。
【００５６】
（粘着剤層）
本発明の開封用テープにおいて、粘着剤層は粘着剤により形成されている。粘着剤層を形成する粘着剤としては、特に制限されず、例えば、エマルジョン型粘着剤、溶剤型粘着剤、ホットメルト型粘着剤、オリゴマー系粘着剤、固系粘着剤などのいずれの形態の粘着剤であってもよい。粘着剤は単独で又は２種以上組み合わせて使用することができる。
【００５７】
粘着剤としては、エマルジョン系粘着剤や溶剤系粘着剤である場合、例えば、アクリル系粘着剤、ゴム系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの粘着剤であって、それぞれの形態（例えば、エマルジョンの形態、溶液の形態など）の粘着剤が挙げられる。
【００５８】
また、粘着剤としては、ホットメルト型粘着剤である場合、スチレン系熱可塑性エラストマー（スチレン系ブロックコポリマー）、ポリウレタン系熱可塑性エラストマー、ポリエステル系熱可塑性エラストマーなどの熱可塑性エラストマーや、ポリオレフィン系樹脂、酢酸ビニル系樹脂、ポリエステル系樹脂、スチレン系樹脂、アクリル系樹脂、ポリアミド系樹脂などの熱可塑性樹脂をベースポリマーとするホットメルト型粘着剤などが挙げられる。なお、前記スチレン系熱可塑性エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）などが挙げられる。また、ポリオレフィン系樹脂としては、例えば、エチレン−酢酸ビニル共重合体（ＥＶＡ）；エチレン−アクリル酸共重合体（ＥＡＡ）、エチレン−メタクリル酸共重合体（ＥＭＡＡ）などのエチレン−不飽和カルボン酸共重合体；アイオノマー；エチレン−アクリル酸メチル共重合体、エチレン−アクリル酸エチル共重合体（ＥＥＡ）、エチレン−アクリル酸２−エチルヘキシル共重合体、エチレン−メタクリル酸メチル共重合体、エチレン−メタクリル酸エチル共重合体などのエチレン−（メタ）アクリル酸エステル共重合体；エチレン−ビニルアルコール共重合体などの他、ポリエチレン（低密度ポリエチレン、線状低密度ポリエチレン、メタロセン触媒法ポリエチレン、中密度ポリエチレン、高密度ポリエチレンなど）、ポリプロピレン、α−オレフィン共重合体（エチレン−プロピレン共重合体、エチレン−ブテン−１共重合体、プロピレン−ブテン−１共重合体など）などのポリオレフィン；ポリプロピレン変性樹脂などが挙げられる。酢酸ビニル系樹脂としては、例えば、ポリ酢酸ビニル、酢酸ビニル−（メタ）アクリル酸エステル共重合体、酢酸ビニル−ビニルエステル共重合体、酢酸ビニル−マレイン酸エステル共重合体などが挙げられる。
【００５９】
なお、粘着剤には、粘着性成分（ベースポリマー）等のポリマー成分の他に、粘着剤の種類等に応じて、架橋剤（例えば、イソシアネート系架橋剤、エポキシ系架橋剤、メラミン系架橋剤、オキサゾリン系架橋剤など）、粘着付与剤（例えば、ロジン系樹脂、テルペン系樹脂、石油樹脂、フェノール系樹脂、エポキシ系樹脂、アミド系樹脂など）、可塑剤、充填剤、老化防止剤、紫外線吸収剤、酸化防止剤、増粘剤、着色剤、帯電防止剤、発泡剤、界面活性剤などの適宜な添加剤が含まれていてもよい。
【００６０】
粘着剤層の形成方法としては、公知乃至慣用の粘着剤層の形成方法を採用することができ、例えば、テープ基材の所定の面における所定の部位上に、所定の厚さの粘着剤層が形成されるように直接塗工して、必要に応じて乾燥・硬化する方法（塗布方法）、セパレータ上に、所定の厚さの粘着剤層が形成されるように粘着剤を塗布して粘着剤層を形成した後、該粘着剤層をテープ基材上に転写する方法（転写方法）などが挙げられる。
【００６１】
粘着剤層の厚さとしては、特に限定されないが、例えば、１０〜１０００μｍ（好ましくは２０〜５００μｍ）程度の範囲から選択することができる。
【００６２】
なお、粘着剤層は、単層、積層のいずれの形態を有していてもよい。
【００６３】
粘着剤層は、通常、テープ基材の一方の面側のみに形成されている。粘着剤層が形成されているテープ基材の面としては、テープ基材の一方の面のみに凹部が形成されている場合、凹部が形成されている側の面であってもよいが、凹部が形成されていない側の面（すなわち、平面側の面）であることが好ましい。従って、開封用テープとしては、テープ基材の一方の面側のみに凹部が予め形成されており、且つテープ基材の平面側の面に粘着剤層が形成されていることが好ましい。
【００６４】
（剥離面）
本発明の開封用テープにおいて、離型処理剤層は、任意に設けられている。すなわち、開封用テープは、離型処理剤層を有していてもよく、有していなくてもよい。なお、開封用テープが剥離面を有している場合、該剥離面は、離型処理剤層表面であってもよく、テープ基材表面であってもよい。
【００６５】
開封用テープの剥離面は、粘着剤層を保護するために用いることができる。また、開封用テープの剥離面は、袋を開封した後、開封された袋の開口部を折り畳んで封止する際に、袋の開閉用テープを開口部の端部に貼り合わせる時の貼付面（止着領域）として利用することができる。このように、開封用テープの剥離面に、袋の開閉用テープの粘着面が重ね合わせられる形態で、袋の開閉用テープを貼り合わせることにより、開封された袋（開封袋）を、開閉を繰り返して行うことが可能な形態で封止することができる。
【００６６】
なお、開封用テープが剥離面を有していない場合、粘着剤層は、セパレータにより保護することができる。このようなセパレータとしては、公知のセパレータから適宜選択して用いることができる。
【００６７】
開封用テープにおける剥離面が離型処理剤層表面となっている場合、テープ基材の所定の面に、離型処理剤（剥離処理剤）を塗布して、離型処理剤層を形成することにより、この離型処理剤層表面を剥離面として利用することができる。このような離型処理剤としては、特に制限されず、例えば、シリコーン系離型処理剤、長鎖アルキル系離型処理剤、フッ素系離型処理剤などの公知の離型処理剤から１種又は２種以上を適宜選択して用いることができる。
【００６８】
離型処理剤層の厚さとしては、特に制限されず、任意に設定することができる。また、離型処理剤層は単層の形態を有していてよく、積層の形態を有していてもよい。
【００６９】
一方、開封用テープにおける剥離面がテープ基材表面となっている場合、テープ基材として、低接着性基材（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等のフッ素系ポリマーや、ポリエチレン、ポリプロピレン等のオレフィン系ポリマーなど）を用いることにより、テープ基材表面を剥離面として利用することができる。
【００７０】
（開封用テープの製造方法）
開封用テープの製造方法としては、特に制限されず、公知の粘着テープの製造方法から適宜選択することができる。例えば、開封用テープが、予め形成された凹部を有するテープ基材と、前記テープ基材の平面側の面に形成された粘着剤層と、前記テープ基材の凹部を有する面側に形成された離型処理剤層とにより構成されている場合、予め形成された凹部を有するテープ基材の平面側の面に、粘着剤を塗布し、必要に応じて乾燥や硬化を行って粘着剤層を形成し、また、予め形成された凹部を有するテープ基材の凹部を有する面に、離型処理剤を塗布し、必要に応じて乾燥や硬化を行って離型処理剤層を形成することにより、製造することができる。
【００７１】
なお、予め形成された凹部を有するテープ基材の製造方法も特に制限されない。予め形成された凹部を有するテープ基材の製造方法としては、平面状のテープ基材を作製した後に、研削加工などにより凹部を形成する方法であってもよいが、テープ基材を作製する際に、凸部を有するロール等を用いて、テープ基材を作製する当初から凹部を有するテープ基材を作製する製造方法が好適である。このように、テープ基材として、予め凹部が形成されたテープ基材を製造することにより、テープ基材の二次加工を行わなくてよいので、低コストでテープ基材を製造することができる。具体的には、例えば、テープ基材を押出し製膜工程を利用して作製する場合、凸部を有するロールを用いて成形することにより、凹部を有するテープ基材を製造することができる。この際、ロールに形成された凸部の高さや幅、ロールを押し当てる圧力などを調整することにより、テープ基材に形成される凹部の幅や厚さなどを自由に設計することができる。
【００７２】
本発明の開封用テープは、テープ基材の一方の面に形成された粘着剤層と、他方の面に形成された離型処理剤層とが接触するようにロール状に重ね合わせて巻回し、使用時に巻き戻して適宜な長さに切断する形態で提供することもできる。
【００７３】
このような開封用テープとしては、幅方向の長さや長手方向の長さとしては、特に制限されず、テープ基材における凹部の形成位置や幅、貼着する袋の大きさや種類などに応じて適宜選択することができる。例えば、開封用テープの幅方向の長さとしては、例えば、３ｍｍ〜１０ｃｍ（好ましくは５ｍｍ〜５ｃｍ、さらに好ましくは１ｃｍ〜３ｃｍ）の範囲から選択することができる。一方、開封用テープの長手方向の長さとしては、袋の貼着部位の長さとなる。
【００７４】
なお、袋を切断して開封させた後に、袋本体部である開封袋に残存する開封用テープの残存物に、開閉用テープの袋封止部位の粘着剤層を貼付する場合、開封用テープにおける幅方向の端部（テープ基材の端部と同じ）と、テープ基材に形成されている凹部との間の距離（凹部が、テープ基材の中央部からずれて形成されている場合は、大きい方の距離）としては、例えば、３ｍｍ〜８ｃｍとなっていることが好ましく、さらに好ましくは５ｍｍ〜５ｃｍであり、特に５ｍｍ〜２ｃｍであることが好適である。
【００７５】
［袋の開閉用テープ］
図４は、本発明の袋の開閉用テープの一例を示す概略断面図である。図４において、４は袋の開閉用テープ（単に「開閉用テープ」と称する場合がある）、４ａは開閉用テープ４における袋貼着部位、４ａ１は袋貼着部位４ａにおけるテープ基材、４ａ２は袋貼着部位４ａにおける粘着剤層、４ａ３は袋貼着部位４ａにおける離型処理剤層、４ｂは開閉用テープ４における袋封止部位、４ｂ１は袋封止部位４ｂにおけるテープ基材、４ｂ２は袋封止部位４ｂにおける粘着剤層、４ｂ３は袋封止部位４ｂにおける離型処理剤層、５ａは袋貼着部位４ａ又はテープ基材４ａ１の開放端部（自由端部）、５ｂは袋貼着部位４ａと袋封止部位４ｂとの接合部（テープ基材４ａ１とテープ基材４ｂ１との接合部）、５ｃは袋封止部位４ｂ又はテープ基材４ｂ１の開放端部（自由端部）、６は摘み部である。また、Ａは袋貼着部位４ａと袋封止部位４ｂとが剥離可能に接着されている接着部位、Ｂは袋貼着部位４ａと袋封止部位４ｂとが接着されていない非接着部位である。
【００７６】
図４で示される開閉用テープ４は、テープ基材４ａ１の一方の面に粘着剤層４ａ２が形成され且つ他方の面に離型処理剤層４ａ３が形成された構成を有する袋貼着部位４ａにおける離型処理剤層４ａ３上に、テープ基材４ｂ１の一方の面の開放端部（自由端部）５ｃ側の部位に粘着剤層４ｂ２が形成され且つ他方の面に離型処理剤層４ｂ３が形成された構成を有する袋封止部位４ｂにおける粘着剤層４ｂ２が重ね合わせられることにより、袋貼着部位４ａと袋封止部位４ｂとが、接着部位Ａで剥離可能に接着され、非接着部位Ｂで接着されないような形態で積層された積層構造を有しているとともに、テープ基材４ａ１とテープ基材４ｂ１とが、一枚の連続的に形成されているテープ基材が折り曲げられる（折り畳まれる）ことにより形成された構造を有している。
【００７７】
なお、図４で示される開閉用テープ４において、粘着剤層４ａ２は、袋の外面に貼着するための粘着剤層（「袋貼着用粘着剤層」と称する場合がある）として用いられる。一方、粘着剤層４ｂ２は、開口部を有する袋（開口袋）を折り畳んで封止させるまでは離型処理剤層４ａ３に貼り合わせられ、且つ袋を封止させる際には、開口袋を折り畳んだ際の端部（開口部）又は端部側の部位に貼着して、開口部を折り畳んだ状態で保持させるための粘着剤層（「袋封止用粘着剤層」と称する場合がある）として用いられる。
【００７８】
このように、本発明の開閉用テープは、テープ基材の一方の面に粘着剤層（袋貼着用粘着剤層）が形成されているとともに、他方の面が剥離面となっている構成を有し、且つ袋の外面に貼着するための袋貼着部位と、テープ基材の一方の面に部分的に粘着剤層（袋封止用粘着剤層）が形成されているとともに、他方の面が剥離面となっている構成を有し、且つ前記袋貼着部位の剥離面に部分的に剥離可能な形態で貼着された袋封止部位とを有しており、且つ袋貼着部位を構成するテープ基材と、袋封止部位を構成するテープ基材とが、一方の端部側で接合され、且つこの接合部側で、袋封止用粘着剤層が形成されていない構成を有していることが重要である。
【００７９】
前記開閉用テープでは、袋封止部位の袋封止用粘着剤層を袋貼着部位の剥離面に貼着することにより、袋封止部位が袋貼着部位上に積層された構成を有しているので、袋封止部位は、袋貼着部位に剥離可能（再剥離可能）な形態で貼着されている。すなわち、袋封止部位は、袋貼着部位に対する貼着・剥離を繰り返して行うことが可能となっている。
【００８０】
特に、前記開閉用テープでは、袋封止部位の袋封止用粘着剤層が、袋貼着部位と接合している接合部側の部位には形成されていないので［すなわち、袋封止部位と袋貼着部位とが、接合部に対して反対側に相当する開放端部側（又は自由端部側）の部位で、粘着剤層により密接に貼り合わせられ、一方、接合部側の部位で、単に重ね合わせられているだけの形態であるので］、袋封止部位を袋貼着部位から剥離させた後に、袋封止部位が自重で袋貼着部位側に倒れてきても、袋封止部位は袋貼着部位に重ならずに離れた状態を効果的に保持することができ、袋封止部位が袋貼着部位に自然に再接着することが防止されている。
【００８１】
従って、開閉用テープを利用して、開口袋の開口部を折り畳んだ状態で保持させて封止させる際には（具体的には、例えば、袋封止部位を袋貼着部位から剥離させた後に、開口袋の開口部を折り畳んで、折り畳んだ際の端部又は端部側の部位を、袋貼着部位の剥離面上に位置させ（袋封止部位と袋貼着部位との間に位置させ）、開口部を折り畳んだ際の端部又は端部側の部位の表面に、袋封止部位の袋封止用粘着剤層を貼付させることにより）、袋貼着部位から一旦剥離させた袋封止部位は、袋貼着部位から剥離された状態が効果的に保持されているので、開口部を折り畳んだ際の端部又は端部側の部位を、容易に、袋封止部位と袋貼着部位との間に位置させて、袋封止部位の粘着剤層を、開口部を折り畳んだ際の端部又は端部側の部位に貼付させることができる。そのため、本発明の開閉用テープを用いると、開口袋を、開閉が可能な形態で、容易に封止させることが可能となっている。
【００８２】
なお、袋封止部位と袋貼着部位とが接合部で接合された構成を有しているので（特に、袋封止部位のテープ基材と、袋貼着部位のテープ基材とが、一枚のテープ基材を折り曲げることにより形成された構成を有している場合）、袋封止部位を袋貼着部位から剥離させる際には、袋封止部位の粘着剤層が、袋貼着部位の離型処理層から剥がれると、袋封止部位に、立ち上がる力（例えば、折り曲げに対する反発力による立ち上がる力）が作用するため、袋封止部位が袋貼着部位から迅速に離れ、そのため、軽い力で容易に剥離させることも可能となっている。
【００８３】
このように、本発明の開閉用テープは、袋の外面に貼着させることにより、袋を、開口部を折り畳んだ状態で保持させて封止させることが可能であり、袋の外面に貼着させるための袋貼着部位と、開口部を折り畳んだ状態で保持させるための袋封止部位とが積層された構成を有しており、且つ下記の（ａ）〜（ｅ）の構成を有している。
（ａ）袋貼着部位を構成するテープ基材と、袋封止部位を構成するテープ基材とが、一方の端部側で接合している構成
（ｂ）袋貼着部位が、テープ基材の一方の面に、袋の外面に貼着させるための粘着剤層を有し、且つ他方の面に離型処理剤層を有する構成
（ｃ）袋封止部位が、テープ基材の一方の面に部分的に、開口部を折り畳んだ状態で保持させるための粘着剤層を有し、且つ他方の面に離型処理剤層を有する構成
（ｄ）袋貼着部位の離型処理剤層側の面と袋封止部位の粘着剤層側の面とが接触する形態で、袋貼着部位と袋封止部位とが積層された構成
（ｅ）袋封止部位の粘着剤層が、袋貼着部位と接合している接合部側の部位には形成されていない構成
【００８４】
本発明では、袋貼着部位を構成するテープ基材と、袋封止部位を構成するテープ基材とは、一方の端部側で接合された形態を有していれば、その接合形態は特に制限されない。例えば、図４で示されるように、１枚の部材（テープ基材）が折り畳まれて積層された接合形態や、図５（ａ）や図５（ｂ）で示されるように、２枚の部材（テープ基材）が接着等により一体化された接合形態などが挙げられる。具体的には、図４では、袋貼着部位を構成するテープ基材と、袋封止部位を構成するテープ基材とが、１枚の連続的に形成されているテープ基材が折り曲げられることにより形成された構造を有しており、図５（ａ）や図５（ｂ）では、袋貼着部位を構成するテープ基材と、袋封止部位を構成するテープ基材とが、２枚の各テープ基材を接着等により、接合部又は接合部以外の部位で、接合して形成された構造を有している。すなわち、袋貼着部位を構成するテープ基材と、袋封止部位を構成するテープ基材とは、長尺状の１枚の部材により形成されていてもよく、所定の位置関係で接着等により接合された２枚の部材により形成されていてもよい。
【００８５】
従って、開閉用テープとしては、１枚の部材を折り畳むことにより袋貼着部位と袋封止部位とが形成された構造の折り畳み型テープであってもよく、別々の部材を積層し且つ所定の位置関係で接着等により接合させることにより袋貼着部位と袋封止部位とが形成された構造の複合型テープであってもよい。
【００８６】
なお、図５は、本発明の袋の開閉用テープの他の例を示す概略断面図である。図５（ａ）において、７１は開閉用テープ、７１ａは開閉用テープ７１における袋貼着部位、７１ａ１は袋貼着部位７１ａにおけるテープ基材、７１ａ２は袋貼着部位７１ａにおける粘着剤層、７１ａ３は袋貼着部位７１ａにおける離型処理剤層、７１ｂは開閉用テープ７１における袋封止部位、７１ｂ１は袋封止部位７１ｂにおけるテープ基材、７１ｂ２は袋封止部位７１ｂにおける粘着剤層、７１ｂ３は袋封止部位７１ｂにおける離型処理剤層、８１ａは袋貼着部位７１ａ又はテープ基材７１ａ１の開放端部（自由端部）、７１ｃは袋貼着部位７１ａと袋封止部位７１ｂとを接合する接着剤層（テープ基材７１ａ１とテープ基材７１ｂ１とを接合する接着剤層）、８１ｂは袋貼着部位７１ａと袋封止部位７１ｂとの接合部（テープ基材７１ａ１とテープ基材７１ｂ１との接合部）、８１ｃは袋封止部位７１ｂ又はテープ基材７１ｂ１の開放端部（自由端部）である。図５（ａ）で示される開閉用テープ７１では、袋貼着部位７１ａと袋封止部位７１ｂとは接合部８１ｂで接合されており、一方、テープ基材７１ａ１とテープ基材７１ｂ１とは、別々の部材（テープ基材）であり、２枚のテープ基材が、接合部８１ｂで、接着剤層７１ｃにより接合されている。
【００８７】
また、図５（ｂ）において、７２は開閉用テープ、７２ａは開閉用テープ７２における袋貼着部位、７２ａ１は袋貼着部位７２ａにおけるテープ基材、７２ａ２は袋貼着部位７２ａにおける粘着剤層、７２ａ３は袋貼着部位７２ａにおける離型処理剤層、７２ｂは開閉用テープ７２における袋封止部位、７２ｂ１は袋封止部位７２ｂにおけるテープ基材、７２ｂ２は袋封止部位７２ｂにおける粘着剤層、７２ｂ３は袋封止部位７２ｂにおける離型処理剤層、８２ａは袋貼着部位７２ａ又はテープ基材７２ａ１の開放端部（自由端部）、７２ｃは袋貼着部位７２ａと袋封止部位７２ｂとを接合する接着剤層（テープ基材７２ａ１とテープ基材７２ｂ１とを接合する接着剤層）、８２ｂは袋貼着部位７２ａと袋封止部位７２ｂとの接合部（テープ基材７２ａ１とテープ基材７２ｂ１との接合部）、８２ｃは袋封止部位７２ｂ又はテープ基材７２ｂ１の開放端部（自由端部）である。図５（ｂ）で示される開閉用テープ７２では、袋貼着部位７２ａと袋封止部位７２ｂとは接合部８２ｂで接合されており、一方、テープ基材７２ａ１とテープ基材７２ｂ１とは、別々の部材（テープ基材）であり、２枚のテープ基材が、接合部８２ｂ以外の部位で、接着剤層７２ｃにより接合されている。
【００８８】
本発明の開閉用テープとしては、袋封止部位における袋貼着部位側の面において、袋貼着部位と接合している接合部側の部位には、粘着剤層が形成されておらず、この粘着剤層が形成されていない部位の幅（接合部から自由端部側の方向の長さ）としては、特に制限されない。本発明では、袋封止部位における袋貼着部位側の面において、少なくとも、袋貼着部位と接合している接合部から１ｍｍの範囲内の部位（好ましくは、少なくとも、袋貼着部位と接合している接合部から３ｍｍの範囲内の部位、さらに好ましくは、少なくとも、袋貼着部位と接合している接合部から５ｍｍの範囲内の部位）で、粘着剤層が形成されていないことが望ましい。すなわち、袋封止部位の粘着剤層は、袋封止部位と袋貼着部位との接合部より１ｍｍ以上離れた部位（好ましくは３ｍｍ以上離れた部位、さらに好ましくは５ｍｍ以上離れた部位）から、自由端部側に形成されていることが望ましい。
【００８９】
このように、本発明の開閉用テープは、袋貼着部位と袋封止部位とによる特定の構成を有しているので、開口袋を開閉可能な形態で容易に封止させることができる。具体的には、開口袋の開口部を折り曲げて折り畳んだ際に、折り畳まれた際の端部（例えば、開口部の端部）又は該端部側の部位を、開閉用テープにおける袋貼着部位と袋封止部位との間に位置させることができるように、袋の外面に開閉用テープを貼着することにより、開口袋の開口部を折り畳んだ際の端部又は該端部側の部位を、袋貼着部位と袋封止部位との間に位置するように折り畳み、この折り畳まれた端部又は該端部側の部位に、開閉用テープの袋封止部位を貼付することにより、開口袋を開口部を折り畳んだ状態で保持させて封止させることができる。
【００９０】
この際、開閉用テープの袋封止部位を貼付する開口袋の部位の表面が、粘着剤層に対する剥離面としての機能を有していると、繰り返し開閉可能な形態で、袋を容易に封止することができる。そのため、本発明では、下記に示されるように、開口袋における開口部を折り畳んだ際の端部又は該端部側の部位が、袋封止部位の粘着剤層に対する剥離面となっていることが好ましい。なお、開口袋における開口部を折り畳んだ際の端部又は該端部側の部位が剥離面となっている開口袋としては、例えば、（ｉ）剥離面としての機能を発揮する材料により開口袋の外面が形成されている形態の開口袋、（ｉｉ）前記開封用テープを貼着した閉鎖系袋を、テープ基材の背面（テープ基材の粘着剤層が形成されていない面）が剥離面となっている開封用テープにおけるテープ基材に形成された凹部に沿って切断した際の開封袋、（ｉｉｉ）テープ基材の背面（テープ基材の粘着剤層が形成されていない面）が剥離面となっている粘着物を外面の所定の部位に貼着させた開口袋などが挙げられる。
【００９１】
本発明の開閉用テープとしては、袋封止部位と袋貼着部位との接合部から、袋封止部位又は袋貼着部位の自由端部までの長さ（分離方向の長さ）や、袋封止部位と袋貼着部位との接合部と平行な方向の長さ（幅方向の長さ）としては、特に制限されず、袋封止部位を片手で容易に袋貼着部位から剥離させるときの取り扱い性や、袋の大きさ等を考慮して最適な長さとすることができる。
【００９２】
なお、袋封止部位の端部には、図４で示されるように、摘み部が形成されていることが好ましい。摘み部が形成されていると、摘み部を利用して、袋封止部位を容易に剥離させたり、貼着させたりすることができる。
【００９３】
なお、図４、図５（ａ）や（ｂ）などでは、層構成が明確になるように図示しているため、テープ基材が折り畳まれた部位には、厚み方向に幅があり、該幅の上下部の２カ所で折られている形態で表現しているが、実際は、折り畳む際の方法に応じて、Ｕ字型に折られた形態、Ｖ字型に折られた形態などの各種形態で折られた形態となっている。
【００９４】
（袋貼着部位）
開閉用テープにおける袋貼着部位は、前述のように、テープ基材（「袋貼着用基材」と称する場合がある）の一方の面に粘着剤層（袋貼着用粘着剤層）が形成されているとともに、他方の面が剥離面となっている構成を有している。袋貼着用基材としては、例えば、紙などの紙系基材；織布、不織布、フェルト、ネットなどの繊維系基材；金属箔、金属板などの金属系基材；プラスチックのフィルムやシートなどのプラスチック系基材；ゴムシートなどのゴム系基材；発泡シートなどの発泡体や、これらの積層体（特に、プラスチック系基材と他の基材との積層体や、プラスチックフィルム（又はシート）同士の積層体など）等の適宜な薄葉体を用いることができる。袋貼着用基材としては、プラスチックのフィルムやシートなどのプラスチック系基材を好適に用いることができる。このようなプラスチックのフィルムやシートにおける素材としては、例えば、ポリエチレン（ＰＥ）、ポリプロピレン（ＰＰ）、エチレン−プロピレン共重合体、エチレン−酢酸ビニル共重合体（ＥＶＡ）等のオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリアミド（ナイロン）、芳香族ポリアミド（アラミド）等のアミド系樹脂；ポリメチルメタクリレート（ＰＭＭＡ）等のメタクリレート系樹脂；アクリル系樹脂；ポリスチレン、アクリロニトリル−スチレン共重合体（ＡＳ樹脂）、アクリロニトリル−ブタジエン−スチレン共重合体（ＡＢＳ樹脂）等のスチレン系樹脂；ポリ塩化ビニル（ＰＶＣ）；ポリビニルアルコール；ポリフェニレンスルフィド（ＰＰＳ）；ポリエーテルエーテルケトン（ＰＥＥＫ）；ポリカーボネート；ウレタン系樹脂：エポキシ系樹脂；フッ素系樹脂などの各種樹脂が挙げられる。これらの素材は単独で又は２種以上組み合わせて使用することができる。
【００９５】
プラスチック製基材としては、柔軟性やコスト等の観点から、ポリオレフィン系樹脂（なかでもポリエチレンやポリプロピレン、特にポリプロピレン）により形成されているプラスチック製基材が好適である。
【００９６】
なお、袋貼着用基材は、単層、積層のいずれの形態を有していてもよい。また、袋貼着用基材の表面には、コロナ処理やプラズマ処理等の物理的処理、下塗り剤等の化学的処理などの適宜な表面処理が施されていてもよい。
【００９７】
袋貼着用基材の厚みとしては、特に制限されないが、通常、５〜１０００μｍ（好ましくは１０〜５００μｍ）である。
【００９８】
また、袋貼着用粘着剤層は粘着剤により形成されており、該粘着剤（「袋貼着用粘着剤」と称する場合がある）としては、特に制限されず、例えば、エマルジョン型粘着剤、溶剤型粘着剤、ホットメルト型粘着剤、オリゴマー系粘着剤、固系粘着剤などのいずれの形態の粘着剤であってもよい。袋貼着用粘着剤は単独で又は２種以上組み合わせて使用することができる。
【００９９】
袋貼着用粘着剤としては、エマルジョン系粘着剤や溶剤系粘着剤である場合、例えば、アクリル系粘着剤、ゴム系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの粘着剤であって、それぞれの形態（例えば、エマルジョンの形態、溶液の形態など）の粘着剤が挙げられる。
【０１００】
また、袋貼着用粘着剤としては、ホットメルト型粘着剤である場合、スチレン系熱可塑性エラストマー（スチレン系ブロックコポリマー）、ポリウレタン系熱可塑性エラストマー、ポリエステル系熱可塑性エラストマーなどの熱可塑性エラストマーや、ポリオレフィン系樹脂、酢酸ビニル系樹脂、ポリエステル系樹脂、スチレン系樹脂、アクリル系樹脂、ポリアミド系樹脂などの熱可塑性樹脂をベースポリマーとするホットメルト型粘着剤などが挙げられる。なお、前記スチレン系熱可塑性エラストマーやポリオレフィン系樹脂としては、開封用テープにおける粘着剤層を形成する粘着剤の項で例示されたスチレン系熱可塑性エラストマーやポリオレフィン系樹脂などが挙げられる。
【０１０１】
なお、袋貼着用粘着剤には、粘着性成分（ベースポリマー）等のポリマー成分の他に、粘着剤の種類等に応じて、架橋剤（例えば、イソシアネート系架橋剤、エポキシ系架橋剤、メラミン系架橋剤、オキサゾリン系架橋剤など）、粘着付与剤（例えば、ロジン系樹脂、テルペン系樹脂、石油樹脂、フェノール系樹脂、エポキシ系樹脂、アミド系樹脂など）、可塑剤、充填剤、老化防止剤、紫外線吸収剤、酸化防止剤、増粘剤、着色剤、帯電防止剤、発泡剤、界面活性剤などの適宜な添加剤が含まれていてもよい。
【０１０２】
袋貼着用粘着剤層の形成方法としては、前記開封用テープにおける粘着剤層の形成方法と同様の形成方法を採用することができる。
【０１０３】
袋貼着用粘着剤層の厚さとしては、特に限定されないが、例えば、１０〜１０００μｍ（好ましくは２０〜５００μｍ）程度の範囲から選択することができる。なお、袋貼着用粘着剤層は、単層、積層のいずれの形態を有していてもよい。
【０１０４】
さらにまた、袋貼着部位における剥離面は、開封用テープにおける剥離面と同様に、離型処理剤層表面による剥離面であってもよく、袋貼着用基材表面であってもよい。なお、剥離面が離型処理剤層表面となっている場合、開封用テープの場合と同様に、公知の離型処理剤（例えば、シリコーン系離型処理剤、長鎖アルキル系離型処理剤、フッ素系離型処理剤など）を袋貼着用基材上に塗布して、離型処理剤層を形成することにより、離型処理剤層表面を剥離面とすることができる。離型処理剤層の厚さとしては、特に制限されず、任意に設定することができる。また、離型処理剤層は単層の形態を有していてよく、積層の形態を有していてもよい。
【０１０５】
一方、剥離面が袋貼着用基材表面となっている場合、開封用テープの場合と同様に、低接着性基材（例えば、フッ素系ポリマーやオレフィン系ポリマーなど）を用いることにより、袋貼着用基材表面を剥離面とすることができる。
【０１０６】
（袋封止部位）
開閉用テープにおける袋封止部位は、前述のように、テープ基材（「袋封止用基材」と称する場合がある）の一方の面に部分的に粘着剤層（袋封止用粘着剤層）が形成されているとともに、他方の面が剥離面となっている構成を有している。袋封止用基材としては、前記袋貼着用基材と同様の薄葉体を用いることができ、袋貼着用基材と同様に、プラスチック系基材を好適に用いることができる。このようなプラスチック製基材としては、前記袋貼着用基材と同様のプラスチック製基材が挙げられる。
【０１０７】
なお、袋封止用基材は、単層、積層のいずれの形態を有していてもよい。また、袋封止用基材の表面には、コロナ処理やプラズマ処理等の物理的処理、下塗り剤等の化学的処理などの適宜な表面処理が施されていてもよい。
【０１０８】
袋封止用基材の厚みとしては、特に制限されないが、通常、５〜１０００μｍ（好ましくは１０〜５００μｍ）である。
【０１０９】
もちろん、図４（ａ）、図５（ａ）や図５（ｂ）で示されるように、袋封止用基材が、袋貼着用基材と連続的に形成されている場合（すなわち、１枚の連続的に形成された基材を折り畳むことにより、袋封止用基材と、袋貼着用基材とが形成されている場合）、袋封止用基材と袋貼着用基材とは、同一の基材である。
【０１１０】
また、袋封止用粘着剤層としては、前記袋貼着用粘着剤層と同様の粘着剤により形成することができる。
【０１１１】
袋封止用粘着剤層の形成方法としては、前記開封用テープにおける粘着剤層や袋貼着用粘着剤層の形成方法と同様の形成方法を採用することができる。
【０１１２】
袋封止用粘着剤層の厚さとしては、特に限定されないが、例えば、１０〜１０００μｍ（好ましくは２０〜５００μｍ）程度の範囲から選択することができる。なお、袋封止用粘着剤層は、単層、積層のいずれの形態を有していてもよい。
【０１１３】
袋封止部位において、袋封止用基材の粘着剤層が形成されていない面（袋封止用基材背面）は、剥離面になっている。袋封止部位における袋封止用基材背面が剥離面になっているので、開閉用テープは、ロール状に巻回した形態や、積層した形態で作製することができる。
【０１１４】
袋封止部位における剥離面は、開封用テープにおける剥離面や袋貼着部位における剥離面と同様に、離型処理剤層表面による剥離面であってもよく、袋封止用基材表面であってもよい。なお、剥離面が離型処理剤層表面となっている場合、開封用テープや袋貼着部位の場合と同様に、公知の離型処理剤（例えば、シリコーン系離型処理剤、長鎖アルキル系離型処理剤、フッ素系離型処理剤など）を袋封止用基材上に塗布して、離型処理剤層を形成することにより、離型処理剤層表面を剥離面とすることができる。離型処理剤層の厚さとしては、特に制限されず、任意に設定することができる。また、離型処理剤層は単層の形態を有していてよく、積層の形態を有していてもよい。
【０１１５】
一方、剥離面が袋封止用基材表面となっている場合、開封用テープや袋貼着部位の場合と同様に、低接着性基材（例えば、フッ素系ポリマーやオレフィン系ポリマーなど）を用いることにより、袋封止用基材表面を剥離面とすることができる。
【０１１６】
なお、本発明の開閉用テープにおいて、図６で示されるように、袋封止部位は、袋貼着部位と同じ形状又は大きさを有していてもよく、異なる形状又は大きさを有していてもよい。図６は、本発明の開閉用テープの例を示す概略断面図である。図６（ａ）において、９１は開閉用テープ、９１ａは袋貼着部位、９１ａ１はテープ基材、９１ａ２は粘着剤層、９１ａ３は離型処理層、９１ｂは袋封止部位、９１ｂ１はテープ基材、９１ｂ２は粘着剤層、９１ｂ３は離型処理層、９１ｂ４は摘み部用印刷層、９１ｃは開放端部、９１ｄは接合部、９１ｅは開放端部、９１ｆは摘み部である。図６（ａ）で示される開閉用テープ９１は、摘み部９１ｆを有する袋封止部位９１ｂの開放端部９１ｅが、袋に貼着される袋貼着部位９１ａの開放端部９１ｃよりも外側に突出しており、摘み部９１ｆを有する袋封止部位９１ｂは、袋に貼着される袋貼着部位９１ａよりも大きい構成となっている。
【０１１７】
図６（ｂ）において、９２は開閉用テープ、９２ａは袋貼着部位、９２ａ１はテープ基材、９２ａ２は粘着剤層、９２ａ３は離型処理層、９２ｂは袋封止部位、９２ｂ１はテープ基材、９２ｂ２は粘着剤層、９２ｂ３は離型処理層、９２ｂ４は摘み部用印刷層、９２ｃは開放端部、９２ｄは接合部、９２ｅは開放端部、９２ｆは摘み部である。図６（ｂ）で示される開閉用テープ９２は、摘み部９２ｆを有する袋封止部位９２ｂの開放端部９２ｅと、袋に貼着される袋貼着部位９２ａの開放端部９２ｃとが一致しており、摘み部９２ｆを有する袋封止部位９２ｂと、袋に貼着される袋貼着部位９２ａとは同じ大きさの構成となっている。
【０１１８】
図６（ｃ）において、９３は開閉用テープ、９３ａは袋貼着部位、９３ａ１はテープ基材、９３ａ２は粘着剤層、９３ａ３は離型処理層、９３ｂは袋封止部位、９３ｂ１はテープ基材、９３ｂ２は粘着剤層、９３ｂ３は離型処理層、９３ｂ４は摘み部用印刷層、９３ｃは開放端部、９３ｄは接合部、９３ｅは開放端部、９３ｆは摘み部である。図６（ｃ）で示される開閉用テープ９３は、袋に貼着される袋貼着部位９３ａの開放端部９３ｃが、摘み部９３ｆを有する袋封止部位９３ｂの開放端部９３ｅよりも外側に突出しており、摘み部９３ｆを有する袋封止部位９３ｂは、袋に貼着される袋貼着部位９３ａよりも小さい構成となっている。
【０１１９】
（開閉用テープの製造方法）
開閉用テープの製造方法としては、前記構成の開閉用テープを製造することができる方法であれば特に制限されない。例えば、開閉用テープが、図４（ａ）で示されるように、テープ基材の一方の面に粘着剤層が形成され且つ他方の面に離型処理剤層が形成された構成を有する袋貼着部位の離型処理剤層上に、テープ基材の一方の面に粘着剤層が形成され且つ他方の面に離型処理剤層が形成された構成を有する袋封止部位の粘着剤層が重ね合わせられた積層構造を有しており、さらに、袋貼着部位におけるテープ基材と袋封止部位におけるテープ基材とが、一枚の連続的に形成されているテープ基材が折り畳まれることにより形成された構造を有している場合、（ｉ）テープ基材として、袋貼着部位におけるテープ基材と袋封止部位におけるテープ基材との合計の長さを有するテープ基材を用い、該テープ基材の所定の面における所定の部位に、袋貼着部位における粘着剤層、袋貼着部位における離型処理剤層、袋封止部位における粘着剤層、および袋封止部位における離型処理剤層を形成した後、袋貼着部位における離型処理剤層上に、袋封止部位における粘着剤層が重ね合わせられ、且つ所定の部位で折り曲がるように、テープ基材を折り曲げて折り畳むことにより開閉用テープを製造する方法や、（ii）テープ基材として、袋貼着部位におけるテープ基材と袋封止部位におけるテープ基材との合計の長さを有するテープ基材を用い、該テープ基材の所定の面における所定の部位に、袋貼着部位における離型処理剤層、および袋封止部位における粘着剤層を形成した後、袋貼着部位における離型処理剤層上に、袋封止部位における粘着剤層が重ね合わせられ、且つ所定の部位で折り曲がるように、テープ基材を折り曲げて折り畳み、さらに、この折り畳まれたテープ基材の所定の面における所定の部位上に、袋貼着部位における粘着剤層、および袋封止部位における離型処理剤層を形成することにより開閉用テープを製造する方法などが挙げられる。なお、摘み部を有している場合、適宜な段階で、摘み部用印刷層を形成することができる。
【０１２０】
なお、本発明の開閉用テープは、袋貼着部位と袋封止部位とが積層された状態の開閉用テープが連続的に形成されている長尺状の連続体を、袋貼着部位における粘着剤層と、袋封止部位における離型処理剤層とが接触するようにロール状に重ね合わせて巻回し、使用時に巻き戻して適宜な幅に切断する形態で提供することもできる。
【０１２１】
［袋］
本発明の袋には、外面に、開封用テープ及び／又は開閉用テープが貼着されている。すなわち、本発明の袋は、（１）開封用テープが貼着された袋であって、所定の開口部形状で開封させることが可能な袋（「開封用テープ貼着袋」と称する場合がある）、（２）開閉用テープが貼着された袋であって、開口部を折り畳んだ状態で保持させて封止させることが可能な袋（「開閉用テープ貼着袋」と称する場合がある）、（３）開封用テープ及び開閉用テープが貼着された袋であって、袋を開封させる際には所定の開口部形状で開封させることが可能であり、且つ開封後には、開封された袋の開口部を折り畳んだ状態で保持させて封止させることが可能な袋（「開封・開閉用テープ貼着袋」と称する場合がある）である。
【０１２２】
（開封用テープ貼着袋）
開封用テープ貼着袋は、所定の開口部形状で開封させるための開封用テープが貼着されているので、開封用テープを貼着する袋としては、開口部を有していない閉鎖系の袋（閉鎖系袋）である。開封用テープとしては、もちろん、前記開封用テープを用いることができる。
【０１２３】
開封用テープを貼着させる袋の外面（表面）の部位（位置）としては、袋の開封しようとする部位（開封予定部位）で、袋を開封させることができるような部位であれば特に制限されない。本発明では、袋の開封予定部位上に開封用テープの凹部が位置する袋の外面部位に、開封用テープを貼着させることが重要である。このように、開封用テープの凹部が、袋の開封予定部位上に位置するように、開封用テープを袋の外面に貼着させることにより、袋を開封させる際には、開封用テープにおけるテープ基材に予め形成された凹部に沿って、袋を切断させて開封させることができ、その結果、袋を所定の開口部形状で開封させることができる。
【０１２４】
このように、袋を開封用テープにおけるテープ基材に予め形成された凹部に沿って開封させた際の開口部形状は、開封用テープにおけるテープ基材に予め形成された凹部の形状に対応している（すなわち、凹部の形状により調整される）ので、開封用テープとしては、テープ基材に予め形成された凹部の形状が、袋の目的とする開口部形状（所定の開口部形状）に対応した形状となっている開封用テープを用いることが重要である。
【０１２５】
具体的には、開封用テープは、図７で示されるように、袋の外面に貼着させることができる。図７は、開封用テープが貼着された袋の一例を示す概略平面図である。図７において、１０は４方袋、１０ａは４方袋１０における周囲の封止端部、１０ａ１は一方の短辺の封止端部、１０ａ２は他方の短辺の封止端部、１０ａ３は一方の長辺の封止端部、１０ａ４は他方の長辺の封止端部、１１は開封用テープ、１１ａは開封用テープ１１におけるテープ基材に形成された凹部である。図７で示される４方袋１０は、２枚のシート状基材の内面同士を、４辺の端部付近で熱融着等により接着させて、封止端部１０ａ（１０ａ１，１０ａ２，１０ａ３，１０ａ４）を形成することにより作製された閉鎖系の袋（閉鎖系袋）であり、この４方袋１０における短辺の封止端部１０ａ１側の部位に、両面に、開封用テープ１１が、幅方向（横方向）の全面に貼着されている。すなわち、開封用テープ１１は、４方袋１０における封止端部１０ａ１よりも内側の部位に、該封止端部１０ａ１側の端部と平行な方向に、全面的に（封止端部１０ａ３から封止端部１０ａ４にかけて）貼着されている。なお、図７では、４方袋１０の一方の面（表面）側のみしか図示されていないため、他方の面（裏面）側に貼着されている開封用テープが図示されていないが、４方袋の封止端部１０ａ１側の部位に、両面に、表裏対称となるように、開封用テープが貼着されている。
【０１２６】
また、開封用テープ１１は、凹部１１ａが長手方向に且つ中央部に片面側のみに直線状に形成されたテープ基材と、前記テープ基材の平面側の面に形成された粘着剤層と、前記テープ基材の凹部を有する面側に形成された離型処理剤層とにより構成されている。なお、開封用テープ１１は、４方袋１０の開封させたい部位の表裏の外面に、開封用テープ１１におけるテープ基材に形成された凹部１１ａが位置するように、開封用テープ１１の粘着剤層を利用して、４方袋１０に貼着されている。従って、開封用テープ１１は、テープ基材に形成された凹部１１ａ側の面、すなわち、離型処理剤層による剥離面が外面側に位置した形態で４方袋に貼着されている。
【０１２７】
この４方袋１０は、開封用テープ１１におけるテープ基材に形成された凹部１１ａに沿って、開封用テープ１１を上部と下部とに分断するような形態で、４方袋１０および開封用テープ１１の全体を切断することにより、開封することができる。このように、袋を開封させる際には、開封用テープにおけるテープ基材に形成された凹部を利用しているので、容易に、且つ所定の開口部形状で、袋を手で切断して開封させることができる。
【０１２８】
また、図８に、開封用テープを貼着した袋の他の例を示す。図８は、開封用テープが貼着された袋の他の例を示す概略平面図である。図８（ａ）において、１２ａは４方袋、１２ａ１は４方袋１２ａにおける封止端部、１３ａは開封用テープ、１３ａ１は開封用テープ１３ａにおけるテープ基材に形成された凹部である。また、図８（ｂ）において、１２ｂは４方袋、１２ｂ１は４方袋１２ｂにおける封止端部、１３ｂは開封用テープ、１３ｂ１は開封用テープ１３ｂにおけるテープ基材に形成された凹部である。４方袋（１２ａ，１２ｂ）は、それぞれ、図７で示される４方袋１０と同様に、２枚のシート状基材の内面同士を、４辺の端部付近で熱融着等により接着させた封止端部（１２ａ１，１２ｂ１）を有しており、短辺の封止端部側の部位に、片面に、開封用テープ（１３ａ，１３ｂ）が、幅方向の全面に貼着されている。また、開封用テープ（１３ａ，１３ｂ）は、テープ基材の長手方向に片面側のみに曲線状に凹部（１３ａ１，１３ｂ１）が形成された構成を有している。
【０１２９】
なお、袋が４方袋の場合、長辺の封止端部側は、開封する辺の長さが長いため、通常、良好な美観性で開封することが難しいが、本発明の開封用テープを利用すると、開封する予定の端部の長さに関係なく、袋を所定の部位で且つ所定の開口部形状で開封させることができるので、図９で示されるように、袋が４方袋における長辺の封止端部側の部位に開封用テープを貼着しても、良好な美観性で、所定の開口部形状で開封することができる。このように、開封用テープを袋に貼着する部位としては、特に制限されない。
【０１３０】
図９は、開封用テープが貼着された袋の他の例を示す概略平面図である。図９において、１４は４方袋、１４ａは４方袋１４における周囲の封止端部、１４ａ１は一方の短辺の封止端部、１４ａ２は他方の短辺の封止端部、１４ａ３は一方の長辺の封止端部、１４ａ４は他方の長辺の封止端部、１５は開封用テープ、１５ａは開封用テープ１５におけるテープ基材に形成された凹部である。図９で示される４方袋１４は、２枚のシート状基材の内面同士を、４辺の端部付近で熱融着等により接着させて封止端部１４ａ（１４ａ１，１４ａ２，１４ａ３，１４ａ４）を形成することにより作製された閉鎖系袋であり、この４方袋１４における長辺の封止端部１４ａ３よりも内側の部位に、片面に、開封用テープ１５が、該封止端部１４ａ３側の端部と平行な方向に、全面的に（封止端部１４ａ１から封止端部１４ａ２にかけて）貼着されている。
【０１３１】
本発明では、開封用テープは、図１０（ａ）で示されるように、袋の片面のみに貼着されていてもよく、図１０（ｂ）で示されるように、袋の両面に貼着されていてもよい。図１０は、開封用テープが貼着された袋の例を示す概略断面図である。図１０（ａ）において、１５ａは４方袋、１５ａ１は４方袋１５ａにおける封止端部、１６ａは開封用テープ、１６ａ１は開封用テープ１６ａにおけるテープ基材、１６ａ２は開封用テープ１６ａにおける粘着剤層、１６ａ３はテープ基材１６ａ１に形成された凹部、１６ａ４は開封用テープ１６ａにおける離型処理層である。また、図１０（ｂ）において、１５ｂは４方袋、１５ｂ１は４方袋１５ｂにおける封止端部、１６ｂは開封用テープ、１６ｂ１は開封用テープ１６ｂにおけるテープ基材、１６ｂ２は開封用テープ１６ｂにおける粘着剤層、１６ｂ３はテープ基材１６ｂ１に形成された凹部、１６ｂ４は開封用テープ１６ｂにおける離型処理層、１６ｃは開封用テープ、１６ｃ１は開封用テープ１６ｃにおけるテープ基材、１６ｃ２は開封用テープ１６ｃにおける粘着剤層、１６ｃ３はテープ基材１６ｃ１に形成された凹部、１６ｃ４は開封用テープ１６ｃにおける離型処理層である。図１０（ａ）では、４方袋１５ａの片面に開封用テープ１６ａが貼着されている。一方、図１０（ｂ）では、４方袋１５ｂのそれぞれの面に（両面に）、開封用テープ１６ｂ、開封用テープ１６ｃが、表裏対象な形態で貼着されている。
【０１３２】
なお、図１０（ａ）などで示されるように、各種袋（４方袋など）の一方の面（片面）に、開封用テープを貼着させる場合、図１１で示されるように、開封用テープが貼着されていない側の面には、押切加工が施されていることが好ましい。図１１は、一方の面に開封用テープが貼着され、且つ他方の面に押切加工が施された袋の例を示す概略図であり、図１１（ａ）は、４方袋の断面図、図１１（ｂ）は、４方袋の一方の面側（開封用テープが貼着されている面側）の平面図、図１１（ｃ）は他方の面側（押切加工部が形成されている面側）の平面図である。図１１において、１７は４方袋、１７ａは封止端部、１７ａ１は上部の封止端部、１７ａ２は下部の封止端部、１７ａ３は左部の封止端部、１７ａ４は右部の封止端部、１８は開封用テープ、１８ａは開封用テープ１８におけるテープ基材、１８ａ１はテープ基材１８ａに形成された凹部、１８ｂは開封用テープ１８における粘着剤層、１９は押切加工部である。図１１で示される４方袋１７では、一方の面に、開封用テープ１８が貼付されており、他方の面に、押切加工部１９が形成されている。より具体的には、開封用テープ１８は、幅方向の中央部に、長手方向に向かって直線状に凹部１８ａ１を有しており、４方袋１７における封止端部１７ａのうち上部の封止端部１７ａ１側の部位に、長手方向が上部の封止端部１７ａ１側の端部と平行な方向となり、且つ左右の封止端部（１７ａ３，１７ａ４）側の端部間に全面的に貼付されている。一方、押切加工部１９は、４方袋１７における封止端部１７ａのうち上部の封止端部１７ａ１側の部位に、該上部の封止端部１７ａ１側の端部と平行な方向に直線状に、左右の封止端部（１７ａ３，１７ａ４）側の端部間に全面的に形成されており、且つ他方の面に貼着された開封用テープ１８におけるテープ基材１８ａに形成されている凹部１８ａ１の位置に対応した位置に、形成されている。従って、開封用テープ１８におけるテープ基材１８ａに形成されている凹部１８ａ１と、押切加工部１９とは、表裏において対象となるような対応した位置関係を有している。そのため、開封用テープ１８におけるテープ基材１８ａに予め形成された凹部１８ａ１に沿って、４方袋１７を手で切断させて開封させると、凹部１８ａ１と、該凹部１８ａ１の位置に対応する他方の面側の位置に形成された押切加工部１９とに沿って、４方袋１７を開封させることができる。
【０１３３】
本発明において、袋に形成される押切加工部としては、例えば、袋を構成している表面基材に、押切加工部を形成するための公知乃至慣用の加工（例えば、ハーフカット加工、切れ目加工やエンボス加工など）を行うことにより、形成することができる。
【０１３４】
なお、袋の一方の面のみに、開封用テープが貼着されているだけでは、手で切断した際に、前記開封用テープに関する凹部に沿った所定の形状で、他方の面も切断することができず、予期しない方向に切断されてしまう場合があるが、押切加工部を、開封用テープにおけるテープ基材に形成されている凹部の位置に対応した位置に設けることにより、両面とも、開封用テープに関する凹部に沿った所定の形状で切断することができる。従って、袋の一方の面のみに、開封用テープが貼着されている場合、他方の面には、開封用テープにおけるテープ基材に形成されている凹部の位置に対応した位置に、押切加工部が設けられていることが好ましい。
【０１３５】
また、袋の両側の表面に開封用テープを貼着させる際には、図１２で示されるように、袋の両側の表面で、表裏対称となるような形態で貼着されていてもよく、図１３で示されるように、表裏非対称となるような形態で貼着されていてもよい。図１２、図１３は、それぞれ、開封用テープが貼着された４方袋の例を示す概略図である。図１２において、２０は４方袋、２０ａは４方袋２０の一方の面（表面）、２０ｂは４方袋２０の他方の面（裏面）、２１ａは開封用テープ、２１ａ１は開封用テープ２１ａにおけるテープ基材に形成された凹部、２１ｂは開封用テープ、２１ｂ１は開封用テープ２１ｂにおけるテープ基材に形成された凹部、２２は４方袋２０を開封させた後の開封された袋（開封袋）、２２ａは開封袋２２の開口部である。図１２では、直線状の凹部（２１ａ１，２１ｂ１）がそれぞれ形成されたテープ基材を有する開封用テープ（２１ａ，２１ｂ）が、４方袋２０のそれぞれ面（表面、裏面）に、凹部（２１ａ１，２１ｂ１）の位置が表裏対称となるような形態で貼着されており、また、この表裏対称となる形態で配置された直線状の凹部（２１ａ１，２１ｂ１）に沿って、表裏対称となる形態で開封されている。
【０１３６】
一方、図１３において、２３は４方袋、２３ａは４方袋２３の一方の面（表面）、２３ｂは４方袋２３の他方の面（裏面）、２４ａは開封用テープ、２４ａ１は開封用テープ２４ａにおけるテープ基材に形成された凹部、２４ｂは開封用テープ、２４ｂ１は開封用テープ２４ｂにおけるテープ基材に形成された凹部、２５は４方袋２３を開封させた後の開封された袋（開封袋）、２５ａは開封袋２５の開口部である。図１３では、曲線状の凹部（２４ａ１，２４ｂ１）がそれぞれ形成されたテープ基材を有する開封用テープ（２４ａ，２４ｂ）が、４方袋２３のそれぞれ面（表面、裏面）に、凹部（２４ａ１，２４ｂ１）の位置が表裏非対称となるような形態で貼着されており、また、この表裏非対称となる形態で配置された曲線状の凹部（２４ａ１，２４ｂ１）に沿って、表裏非対称となる形態で開封されている。
【０１３７】
なお、図１３で示されるように、４方袋等の袋の両面に、テープ基材に形成された凹部が表裏非対称となる形態で開封用テープが貼着されていると、表裏の開口部でズレがあるため、手で切断して開封させた後に開口部を開く際に、一方の面の開口部を手で容易に持ちやすくなっているので、開口部を容易に開けることができる。
【０１３８】
従って、袋の両面に、開封用テープを貼着させる場合や、袋の一方の面に開封用テープを貼着させ且つ他方の面に押切加工部を形成する場合などでは、一方の面の開口部を手で容易に持つことができるように、開口部形状が、表裏で少なくとも部分的に非対称となっていてもよい。なお、所定の形状の凹部を有している開封用テープを組み合わせたり、所定の形状の凹部を有している開封用テープと所定の形状の押切加工部とを組み合わせたりすることにより、開封した際の開口部形状を、表裏で少なくとも部分的に非対称とすることができる。
【０１３９】
本発明では、開封用テープが貼着された袋には、袋を開封させる際の切断きっかけ用切れ目が形成されていることが好ましい。このような切断きっかけ用切れ目としては、袋における開封用テープが貼着された部位の少なくとも一方の端部（いずれかの片側の端部または両側の端部）に形成することができ、特に、図１４で示されるように、開封用テープにおけるテープ基材に形成された凹部が含まれるような形態で、袋の端部に形成することが好ましい。図１４は、開封用テープが貼着され且つ切断きっかけ用切れ目が形成された袋の例を示す概略平面図である。図１４において、２６は４方袋、２６ａは封止端部、２７は開封用テープ、２７ａは開封用テープ２７におけるテープ基材に形成された凹部、２８は切断きっかけ用切れ目である。
【０１４０】
なお、開封用テープとしては、図７〜９や、１１〜１４などでは、袋の一方の面または両面に、いずれかの封止端部側の部位に、該封止端部側の端部と平行な方向に、全面的に貼着されているが、袋を開封することができるような部位であれば、貼着する袋の外面上の部位は特に制限されない。開封用テープとしては、例えば、図１５で示されるように、袋のコーナー部で開封することができるように、袋のコーナー部に、上部の端部から、側部の端部にかけて斜め方向に貼着されていてもよい。図１５は、開封用テープが貼着された袋の例を示す概略平面図である。図１５（ａ）において、２９ａは４方袋、２９ａ１は封止端部、３０ａは開封用テープ、３０ａ１は開封用テープ３０ａにおけるテープ基材に形成された凹部である。また、図１５（ｂ）において、２９ｂは４方袋、２９ｂ１は封止端部、３０ｂは開封用テープ、３０ｂ１は開封用テープ３０ｂにおけるテープ基材に形成された凹部である。
【０１４１】
このように、本発明では、袋の外面（表面）における端部から端部にかけての部位（例えば、幅方向の端部から端部にかけての部位や、斜め方向の端部から端部にかけての部位など）に、開封用テープを好適に貼着させることができる。従って、袋としては、開封用テープが、幅方向に対向している又は対向していない端部から端部にかけて切断することが可能なように貼着されていることが好ましい。すなわち、袋を開封した際には、袋が、袋本体部としての開口部を有している開封袋と、袋本体部（開封袋）から分離された切断分離部とに分割されるように、開封用テープを袋の外面に貼着することができる。
【０１４２】
なお、袋の外面（表面）における端部から端部にかけての部位ではなく、袋の外面における端部から内部の何れかの部位にかけて開封用テープが貼着されていてもよい。この場合、袋を開封した際には、開封袋の開口部は、端部から端部にかけて開口されておらず、部分的に開口された状態となっている。
【０１４３】
開封用テープが貼着された袋は、（ｉ）袋の開封しようとする部位（開封予定部位）に、開封用テープにおけるテープ基材に予め形成された凹部が位置するようにして、開封用テープを貼着させる方法、（ii）袋を形成するための部材（又は袋部材）（例えば、閉鎖系袋の場合は、閉鎖して（封鎖して）閉鎖系袋を製造する際の閉鎖する前の部材）において、袋を形成した際に開封しようとする部位に相当する部位に、開封用テープにおけるテープ基材に予め形成された凹部が位置するようにして、開封用テープを貼着させた後、袋を形成させる方法などの各種の方法により製造することができる。
【０１４４】
（開閉用テープ貼着袋）
開閉用テープ貼着袋は、開口部を折り畳んだ状態で保持させて封止させるための開閉用テープが貼着されているので、開閉用テープを貼着する袋としては、閉鎖系袋、開口袋のいずれであってもよい。開閉用テープとしては、もちろん、前記開閉用テープを用いることができる。
【０１４５】
開閉用テープを貼着させる袋の外面（表面）の部位（位置）としては、袋を開封させた後の開封された袋（開封袋）や、予め開口部を有している開口袋などの各種の袋を、開閉可能な形態で封止させることができるような部位であれば特に制限されない。本発明では、開封袋等の開口袋における開口部を折り曲げて折り畳んだ際に、開口部を折り畳んだ際の端部又は端部側の部位を、開閉用テープにおける袋貼着部位と袋封止部位との間に位置させることができる開口袋の外面の部位に、開閉用テープを貼着させることが重要である。このように、開閉用テープの袋貼着部位と袋封止部位との間に、開口袋の開口部を折り畳んだ際の端部又は端部側の部位を位置させることができるように、開閉用テープを袋の外面に貼着させることにより、袋の開口部を折り畳んで封止させる際には、袋の開口部を折り畳んだ際の端部又は端部側の部位が開閉用テープにおける袋貼着部位と袋封止部位との間に位置するように折り畳んで、開口部が折り畳まれた際の端部又は端部側の部位に、開閉用テープの袋封止部位を貼付することができ、その結果、閉鎖系袋を開封させた後の開封袋等の開口袋を、開口部を折り畳んだ状態で保持させることが可能となり、開口袋を開閉可能な形態で封止させることができる。
【０１４６】
この際、開閉用テープにおける袋貼着部位と袋封止部位とには、接合部側で接着されていない非接着部位が設けられているので、開口袋の開口部を折り曲げる前に、予め、開閉用テープにおける袋封止部位を袋貼着部位から剥離させても、この剥離された状態が保持されているので、開口袋の開口部を折り曲げて折り畳んだ際の端部又は端部側の部位を、容易に、袋封止部位と袋貼着部位との間に位置させることができ、そのため、開口袋を容易に封止させることができる。
【０１４７】
具体的には、開閉用テープは、図１６で示されるように、袋の外面に貼着させることができる。図１６は、開閉用テープが貼着された袋の一例を示す概略平面図である。図１６（ａ）および（ｂ）において、３１ａ、３１ｂは、それぞれ、開口袋、３１ａ１、３１ｂ１は、それぞれ、開口袋（３１ａ，３１ｂ）における開口部、３１ａ２、３１ｂ２は、それぞれ、開口袋（３１ａ，３１ｂ）における封止端部、３２ａ、３２ｂは、それぞれ、開閉用テープである。図１６で示される開口袋（３１ａ，３１ｂ）は、図７などで示される４方袋（すなわち、２枚のシート状基材の内面同士を、４辺の端部付近で熱融着等により接着させて封止端部を形成することにより作製された４方袋）から、いずれかの封止端部側の部位を、切断させて開封した形態の開口袋である。
【０１４８】
図１６（ａ）では、開閉用テープ３２ａが、開口袋３１ａにおける一方の外面（表面）上に、幅方向の一部分（中央部付近）に貼着されている。一方、図１６（ｂ）では、開閉用テープ３２ｂが、開口袋３１ｂにおける一方の外面（表面）上に、幅方向の全面にわたって貼着されている。
【０１４９】
この開閉用テープ（３２ａ，３２ｂ）は、図４で示される開閉用テープ４と同様の開閉用テープである。すなわち、開閉用テープ（３２ａ，３２ｂ）は、テープ基材の一方の面に粘着剤層（袋貼着用粘着剤層）が形成され且つ他方の面が剥離面となっている構成を有する袋貼着部位と、テープ基材の一方の面に部分的に粘着剤層（袋封止用粘着剤層）が形成され且つ他方の面が剥離面となっている構成を有する袋封止部位とを有しており、且つ袋貼着部位を構成するテープ基材と、袋封止部位を構成するテープ基材とが、一方の端部側で接合され、且つこの接合部側で、袋封止用粘着剤層が形成されていない構成を有している。なお、袋貼着部位を構成するテープ基材と、袋封止部位を構成するテープ基材とは、一枚の連続的に形成されているテープ基材が折り曲げられて折り畳まれることにより形成された構造を有している。
【０１５０】
開閉用テープ（３２ａ，３２ｂ）の袋貼着部位は、袋の外面に貼着するために用いられる部位であり、図１６（ａ）や図１６（ｂ）では、袋貼着部位の粘着剤層を利用して、開閉用テープ（３２ａ，３２ｂ）が、開口袋（３１ａ、３１ｂ）の外面に貼着されている。また、袋封止部位は前記袋貼着部位の剥離処理層上に貼着されている。
【０１５１】
このように、開口袋（３１ａ，３１ｂ）には、開閉用テープ（３２ａ，３２ｂ）が貼着されているので、開口袋（３１ａ，３１ｂ）を封止させる際には、開口部（３１ａ１，３１ｂ１）を開閉用テープ（３２ａ，３２ｂ）が貼着されている側に、折り畳んだ際の端部（先端部）又は端部側の部位が、開閉用テープ（３２ａ，３２ｂ）における袋貼着部位と袋封止部位との間に位置するように折り曲げて折り畳み、この折り畳まれた際の端部又は端部側の部位に、開閉用テープ（３２ａ，３２ｂ）の袋封止部位を貼付することにより、開口袋（３１ａ，３１ｂ）を開口部（３１ａ１，３１ｂ１）を折り畳んだ状態で保持させて封止させることができる。
【０１５２】
この際、開閉用テープにおける袋封止部位は、開口袋の開口部を折り曲げて折り畳む前に、予め、袋貼着部位から剥離させていてもよく、開口袋の開口部を折り曲げて折り畳んだ後に、折り畳んだ際の端部又は端部側の部位を、袋封止部位と袋貼着部位との間に位置させる際に、袋貼着部位から剥離させてもよい。なお、前述のように、開閉用テープにおける袋貼着部位と袋封止部位とには、図４などで示されるように、接合部側で接着されていない非接着部位が設けられているので、開口袋の開口部を折り曲げて折り畳む前に、予め、開閉用テープにおける袋封止部位を袋貼着部位から剥離させても、袋封止部位は袋貼着部位に自重により接着することがなく、剥離された状態が保持されている。
【０１５３】
具体的には、図１７で示されるようにして、開口袋を開閉用テープにより封止させることができる。図１７は、図１６（ａ）で示される開口袋を開閉用テープにより封止させている状態の例を示す概略断面図であり、図１７（ａ）は平面図、図１７（ｂ）は断面図である。図１７（ａ）および図１７（ｂ）において、３１ａ３は、開口部３１ａ１を開閉用テープ３２ａ側の面に折り曲げて折り畳んだ際の折り曲げ部、３２ａ１は袋貼着部位、３２ａ１ａはテープ基材、３２ａ１ｂは粘着剤層（袋貼着用粘着剤層）、３２ａ２は袋封止部位、３２ａ２ａはテープ基材、３２ａ２ｂは粘着剤層（袋封止用粘着剤層）である。他の符号は、前記に同じである。
【０１５４】
図１７では、開口袋３１ａを、折り曲げ部３１ａ３で折り曲げて、開口部３１ａ１の端部が、開閉用テープ３２ａにおける袋貼着部位３２ａ１と袋封止部位３２ａ２との間に位置するように折り畳み、開口部３１ａ１の端部側の部位に、袋封止部位３２ａ２を貼着させて、開口袋３１ａを開口部３１ａ１を折り畳んだ状態で保持させて封止させている。従って、折り畳んだ際の端部又は端部側の部位は、開口部の端部又は端部側の部位となっている。
【０１５５】
なお、図１７では、開口部の端部を袋貼着部位と袋封止部位との間に位置させることができるように、開口部側の部位を１回折り曲げて畳んでいるが、開口部を折り曲げる回数は、２回以上であってもよい。開口部を２回以上折り曲げて折り畳むことにより、開封袋をより一層優れた密閉性で封止させることができる。
【０１５６】
なお、袋封止部位を貼付する開口袋の面を剥離面とすることにより、開封袋を容易に開閉することができる形態で封止することができる。
【０１５７】
本発明では、開閉用テープは、図１６に示されるように、袋の幅方向の全面又は一部分に貼着することができるが、開閉用テープを貼着する部位は、特に制限されず、袋の開口部又は開封予定部位やその形状、開口部側の部位を折り畳む際の折り畳み回数などに応じて適宜設定することができる。
【０１５８】
また、図１６や図１７では、開閉用テープは、袋封止部位が、袋貼着部位から剥離させることができる開放端部側の部位を、袋の開口部側となるような形態で、袋の外面に貼着されている。
【０１５９】
開閉用テープが貼着された袋は、（ｉ）袋の外面の所定の部位に、開閉用テープを貼着させる方法、（ii）袋を形成するための部材（又は袋部材）（例えば、閉鎖系袋の場合は、閉鎖して（封鎖して）閉鎖系袋を製造する際の閉鎖する前の部材）において、袋を形成した際に所定の位置となるような部位に、開閉用テープを貼着させた後、袋を形成させる方法などの各種の方法により製造することができる。
【０１６０】
（開封・開閉用テープ貼着袋）
開封・開閉用テープ貼着袋は、所定の開口部形状で開封させるための開封用テープと、開口部を折り畳んだ状態で保持させて封止させるための開閉用テープとが貼着されており、袋を所定の開口部形状で開封させることができるとともに、開封後には、開封袋を開閉可能な形態で封止させることができる。開封用テープ及び開閉用テープを貼着する袋としては、閉鎖系袋、開口袋の何れであってもよいが、開封用テープ貼着袋と同様に、閉鎖系袋であることが好ましい。開封用テープや、開閉用テープとしては、もちろん、前記開封用テープや、前記開閉用テープを用いることができる。
【０１６１】
開封・開閉用テープ貼着袋は、前記開封用テープ貼着袋および前記開閉用テープ貼着袋を組み合わせたような形態の袋である。すなわち、開封用テープを貼着させる袋の外面の部位としては、前記開封用テープ貼着袋と同様に、袋の開封予定部位で、袋を開封させることができるような部位であればよい。また、開閉用テープを貼着させる袋の外面の部位としては、前記開閉用テープ貼着袋と同様に、袋を開封させた後の開封袋を、開閉可能な形態で封止させることができるような部位であればよい。なお、開封袋の開口部は、開封用テープの凹部に沿って切断して開封した際の開口部とすることができる。
【０１６２】
具体的には、開封用テープ及び開閉用テープは、図１８で示されるように、袋の外面に貼着させることができる。図１８は、開封用テープ及び開閉用テープが貼着された袋の一例を示す概略平面図である。図１８（ａ）、図１８（ｂ）において、３３は４方袋、３３ａは４方袋３３における周囲の封止端部、３３ａ１は一方の短辺の封止端部、３３ａ２は他方の短辺の封止端部、３３ａ３は一方の長辺の封止端部、３３ａ４は他方の長辺の封止端部、３４は開封用テープ、３４ａは開封用テープ３４におけるテープ基材に形成された凹部、３５は開閉用テープ、３６は開封用テープ、３６ａは開封用テープ３６におけるテープ基材に形成された凹部、３７は開閉用テープである。図１８（ａ）および（ｂ）で示される４方袋３３は、図７などで示される４方袋と同様に、２枚のシート状基材の内面同士を、４辺の端部付近で熱融着等により接着させて、封止端部３３ａ（３３ａ１，３３ａ２，３３ａ３，３３ａ４）を形成することにより作製された閉鎖系袋である。図１８（ａ）では、開封用テープ３４が、４方袋３３における短辺の封止端部３３ａ１側の部位に、両面に、表裏で対象となる形態で、幅方向（横方向）の全面に貼着されている。また、図１８（ｂ）では、開封用テープ３６が、４方袋３３における長辺の封止端部３３ａ３側の部位に、両面に、表裏で対象となる形態で、長手方向（縦方向）の全面に貼着されている。
【０１６３】
また、開閉用テープ３５、開閉用テープ３７は、それぞれ、開封用テープ３４の凹部３４ａ、開封用テープ３６の凹部３６ａに沿って切断された際の開口部を折り曲げて折り畳んだ際に、前記開口部の端部が、袋貼着部位と袋封止部位との間に位置することができる部位に、貼着されている。このように、開封用テープと開閉用テープとが組み合わせられて用いられている場合、開閉用テープは、開封用テープに対して適切な位置関係となるような部位に貼着することが重要である。
【０１６４】
なお、開封用テープ（３４，３６）は、テープ基材と粘着剤層とを少なくとも有しており、且つ前記テープ基材として、予め形成された凹部を有するテープ基材が用いられている。また、開閉用テープ（３５，３７）は、テープ基材の一方の面に粘着剤層が形成されているとともに、他方の面が剥離面となっている構成を有し、且つ袋の外面に貼着するための袋貼着部位と、テープ基材の一方の面に粘着剤層が形成された構成を有し、且つ前記袋貼着部位の剥離面に部分的に剥離可能な形態で貼着された袋封止部位とを有する積層構造を有しており、さらに、袋貼着部位を構成するテープ基材と、袋封止部位を構成するテープ基材とが、一方の端部側で接合され、且つこの接合部側で、袋封止用粘着剤層が形成されていない構成を有している。
【０１６５】
このように、図１８（ａ）や（ｂ）で示される４方袋３３には、開封用テープ（３４，３６）が貼着されているので、４方袋３３を開封用テープ（３４，３６）の凹部を（３４ａ，３６ａ）利用して手で容易に、所定の開口部形状で切断して開封させることができ、また、この開封後、開封時に切断した開口部の端部（先端部）側の部位が、開閉用テープ（３５，３７）における袋貼着部位と袋封止部位との間に位置するように折り曲げて折り畳み、この折り畳まれた開口部の端部側の部位に、開閉用テープ（３５，３７）の袋封止部位を貼着させることにより、開封袋を開口部を折り畳んだ状態で保持させて封止させることができる。
【０１６６】
具体的には、図１８（ａ）で示される４方袋３３は、開封用テープ３４の凹部３４ａを利用して、凹部３４ａに沿って（図１８（ａ）におけるＸ−Ｙ線で）、手で切断して開封させると、開封袋となる袋本体部と、袋本体部から分離される切断分離部とに分割され、例えば、図１９で示されるように、袋本体部としての開封袋３８が得られる。このように、開封した後、例えば、図２０で示されるように、開封袋の開口部３８ａ（すなわち、開封時に切断した開口部）の端部（先端部）側の部位が、開閉用テープ３５における袋貼着部位３５ａと袋封止部位３５ｂとの間に位置するように折り曲げて折り畳み、この折り畳まれた開口部３８ａの端部側の部位の表面に、開閉用テープ３５の袋封止部位３５ｂの粘着剤層３５ｂ２を貼着させることにより、開封袋３８を開口部３８ａを折り畳んだ状態で保持させて封止させることができる。なお、切断分離部は通常廃棄される。
【０１６７】
図１９は、開封用テープ及び開閉用テープが貼着された袋を、開封用テープの凹部を利用して開封させた状態の例を示す概略図であり、図１９（ａ）は平面図、図１９（ｂ）は断面図である。また、図２０は、開封用テープ及び開閉用テープが貼着された袋を開封させた後に、開閉用テープを利用して封止させた状態の例を示す概略図であり、図２０（ａ）は平面図、図２０（ｂ）は断面図である。図１９〜２０において、３５ａは開閉用テープ３５の袋貼着部位、３５ａ１は袋貼着部位３５ａにおけるテープ基材、３５ａ２は袋貼着部位３５ａにおける粘着剤層、３５ｂは開閉用テープ３５の袋封止部位、３５ｂ１は袋封止部位３５ｂにおけるテープ基材、３５ｂ２は袋封止部位３５ｂにおける粘着剤層（袋封止用粘着剤層）、３５ｃは開閉用テープ３５の摘み部、３８は４方袋３３を開封させた開封袋（袋本体部）、３８ａは開封袋３８における開口部、３８ｂは開封袋３８の開口部３８ａを折り曲げた際の折り曲げ部、３９は開封用テープ３４における開封袋３８に貼着している部分（開封用テープ袋本体貼着部）、３９ａは開封袋３８の一方の面に貼着されている開封用テープ袋本体貼着部、３９ａ１は開封用テープ袋本体貼着部３９ａの凹部、３９ａ２は開封用テープ袋本体貼着部３９ａのテープ基材、３９ａ３は開封用テープ袋本体貼着部３９ａの粘着剤層、３９ａ４は開封用テープ袋本体貼着部３９ａの離型処理層、３９ｂは開封袋３８の他方の面に貼着されている開封用テープ袋本体貼着部、３９ｂ１は開封用テープ袋本体貼着部３９ｂの凹部、３９ｂ２は開封用テープ袋本体貼着部３９ｂのテープ基材、３９ｂ３は開封用テープ袋本体貼着部３９ｂの粘着剤層、３９ｂ４は開封用テープ袋本体貼着部３９ｂの離型処理層である。なお、他の符号は前記に同じである。
【０１６８】
図１９では、開封袋３８は、４方袋３３の両面に、表裏対象な形態で貼着されている開封用テープ３４の凹部３４ａに沿って（Ｘ−Ｙ線で）、切断された構成を有しており、袋本体部としての開封袋３８の開口部３８ａの外面には、開封用テープ３４における下部側の部位である開封用テープ袋本体貼着部（３９ａ，３９ｂ）が、貼着した状態で残存している。従って、開口部３８ａの表面は、開封用テープ袋本体貼着部（３９ａ，３９ｂ）の表面となっているので、離型処理剤層による剥離面となっている。もちろん、開封袋（袋本体部）３８には、開閉用テープ３５がそのままの形態で貼着している。なお、４方袋３３の切断分離部（Ｘ−Ｙ線よりも上部側の部位）の外面には、開封用テープ３４における上部側（４方袋３３における封止端部３３ａ１側）の部位が貼着した状態となっており、これらは廃棄される。
【０１６９】
図２０では、開封袋３８は、折り曲げ部３８ｂで、開口部３８ａを開閉用テープ３５が貼着されている側の面に、該開口部３８ａの端部が、袋貼着部位３５ａと袋封止部位３５ｂとの間に位置するように、折り曲げられて折り畳まれた構成を有しており、また、袋封止部位３５ｂの袋封止用粘着剤層３５ｂ２が、開封用テープ袋本体貼着部３９ｂの剥離処理層３９ｂ４の表面に貼着されている構成を有している。
【０１７０】
なお、開封袋３８を封止させる際には、袋封止部位３５ｂを袋貼着部位３５ａから剥離させるが、この際、袋貼着部位３５ａを構成するテープ基材３５ａ１と、袋封止部位３５ｂを構成するテープ基材３５ｂ１とが、一方の端部側で接合され、且つこの接合部側で、袋封止用粘着剤層３５ｂ２が形成されていない構成を有しているので、袋封止部位３５ｂを袋貼着部位３５ａから剥離させても、自重により袋封止部位３５ｂが袋貼着部位３５ａに貼着せず、剥離された状態が効果的に保持されている。そのため、袋封止部位３５ｂと袋貼着部位３５ａとの間に、開封袋３８の開口部３８ａの端部を容易に位置させることができ、容易に、開封袋３８を開口部３８ａを折り畳んだ状態で保持させて封止させることができる。
【０１７１】
なお、袋封止部位３５ｂを袋貼着部位３５ａから剥離させる際には、図１９や図２０で示されるように、袋封止部位３５ｂに摘み部３５ｃが設けられていると、該摘み部３５ｃを手で持つことにより、容易に、袋封止部位３５ｂを袋貼着部位３５ａから手で剥離させることができる。
【０１７２】
特に、開封袋３８の表面が、袋封止部位３５ｂの袋封止用粘着剤層３５ｂ２に対して離型性（剥離性）を発揮する（又は有する）表面（剥離面）となっていなくても、袋封止部位３５ｂを貼付する表面（すなわち、開封袋３８の開口部３８ａの端部側の部位の表面）は、開封用テープ袋本体貼着部３９ｂの表面（すなわち、離型処理剤層による剥離面）とすることができるので、開封袋３８を開閉可能な形態で封止させることができる。
【０１７３】
従って、本発明の開封・開閉用テープ貼着袋は、図２１で示されるように、開封用テープが、開閉用テープが設けられていない面側に少なくとも設けられており、袋を開封用テープの凹部に沿って切断して開封した後、開封された袋の開口部を開閉用テープが設けられている側に折り畳み、開閉用テープの袋封止部位を、袋の開口部において残存している開封用テープの剥離面に貼付させることにより、開封された袋を開閉可能な形態で封止することができる構成を有していることが好ましい。
【０１７４】
図２１は、本発明の開封・開閉用テープ貼着袋の例を示す概略断面図である。図２１において、４０は４方袋、４０ａは４方袋４０における封止端部、４１は開封用テープ、４１ａは開封用テープ４１のテープ基材、４１ａ１はテープ基材４１ａに予め形成された凹部、４１ｂは開封用テープ４１の粘着剤層、４１ｃは開封用テープ４１の離型処理層、４２は押切加工部、４３は開閉用テープ、４３ａは開閉用テープ４３の袋貼着部位、４３ａ１は袋貼着部位４３ａのテープ基材、４３ａ２は袋貼着部位４３ａの粘着剤層、４３ｂは開閉用テープ４３の袋封止部位、４３ｂ１は袋封止部位４３ｂのテープ基材、４３ｂ２は袋封止部位４３ｂの粘着剤層、４３ｃは摘み部である。図２１で示される４方袋４０は、一方の面に、いずれかの封止端部側の部位に、開封用テープ４１が貼着されているとともに、他方の面に、前記開封用テープ４１の凹部４１ａ１の位置に対応した位置（表裏対象となる位置）に押切加工部４２が設けられており、さらに、押切加工部４２が設けられている面側（すなわち、開封用テープ４１が設けられていない面側）に、開閉用テープ４３が貼着されている。
【０１７５】
このように、開閉用テープの袋封止部位を貼付する開封袋の面が、開封用テープの離型処理剤層による剥離面となっていると、袋の素材（中でも、表面の素材）が限定されないので、袋として種々の素材のものを用いることができる。従って、本発明では、開封用テープとしては、予め凹部が形成されているテープ基材の一方の面に粘着剤層が形成され、且つ他方の面が剥離面となっている構成を有しているものを用い、且つ開封用テープを、開閉用テープが設けられていない面側に少なくとも設けるとともに、袋を開封用テープにおける凹部に沿って開封した後、開口部を開閉用テープが設けられている側に折り畳み、開閉用テープの袋封止部位を、開封袋に残存している開封用テープ部分の剥離面に貼付させることにより、開封袋を開閉可能な形態で封止することができるように設けることが好ましい。この際、開封用テープの剥離面を、離型処理剤層表面とし、且つこの離型処理剤として重剥離型の離型処理剤を用いることにより、開閉用テープを、開封用テープの剥離面（重剥離型の離型処理剤層の表面）に貼付させて、開封袋を封止させても、開封袋の封止中に開閉用テープの剥がれを抑制または防止させることができ、しかも、開閉用テープを開封用テープの剥離面から剥がして開封させる時には、適度な力で剥離させることができるようになる。
【０１７６】
また、本発明では、特に、開閉用テープの袋封止部位における粘着剤層を、開封袋の開口部の外面に貼着されている開封用テープの凹部よりも下部側の部分（開封用テープ袋本体貼着部）における剥離面に貼着させる場合、開封用テープの袋本体貼着部における剥離面が広い方が、袋封止部位における粘着剤層により、剥離可能な形態で貼着させやすい。従って、開封用テープとしては、テープ基材における粘着剤層に対して反対側の面に、離型処理層が形成された構成を有しており、且つ凹部に沿って袋を切断して開封させた際に、開封袋に残存する開封用テープの部分の方が、切断分離部よりも多くなるように、凹部が設けられていることが好ましい。具体的には、開封用テープが、テープ基材に長手方向に平行に形成された直線状の凹部を有している場合、テープ基材に長手方向に平行に形成された直線状の凹部は、テープ基材の幅方向の中央部よりも幅方向の何れかの端部側にずれた位置に形成されていることが好ましい。この際、開封用テープとしては、凹部がずれて形成されている側の開封用テープの端部が、袋の端部側に位置するように、袋の外面に貼着させることが重要である。
【０１７７】
従って、本発明の開封・開閉用テープ貼着袋としては、図２２で示されているように、袋の開封用テープが、テープ基材の幅方向の中央部よりも幅方向の何れかの端部側にずれた位置に且つテープ基材の長手方向に平行に直線状に、凹部が形成され、且つテープ基材における粘着剤層に対して反対側の面に、離型処理層が形成された構成を有しており、袋の開封用テープにおける凹部がずれて形成されている側の端部が、袋の端部側に位置する形態で、袋の開封用テープが袋の外面に貼着されている（袋の開封用テープが、前記直線状の凹部に沿って袋を切断して開封させた際に、開封袋に残存する開封用テープの部分の方が、多いように、袋の外面に貼着されている）ことが好適である。
【０１７８】
図２２は、本発明の開封・開閉用テープ貼着袋の例を示す概略断面図であり、図２２（ａ）は、開封用テープ及び開閉用テープが貼着された袋を示し、図２２（ｂ）は（ａ）の袋を開封させた開封袋を示し、図２２（ｃ）は（ｂ）の開封袋を開閉用テープを利用して封止した状態を示している。図２２（ａ）〜（ｃ）において、４４は４方袋、４４ａは４方袋４４における封止端部、４５は開封用テープ、４５ａは開封用テープ４５のテープ基材、４５ａ１はテープ基材４５に予め形成された凹部、４５ｂは開封用テープ４５の粘着剤層、４５ｃは開封用テープ４５の離型処理層、４６は押切加工部、４７は開閉用テープ、４７ａは開閉用テープ４７の袋貼着部位、４７ａ１は袋貼着部位４７ａのテープ基材、４７ａ２は袋貼着部位４７ａの粘着剤層、４７ｂは開閉用テープ４７の袋封止部位、４７ｂ１は袋封止部位４７ｂのテープ基材、４７ｂ２は袋封止部位４７ｂの粘着剤層、４７ｃは摘み部、４８は４方袋４４を凹部４５ａ１に沿って切断して開封させた開封袋、４８ａは開封袋４８の開口部である。図２２（ａ）で示される４方袋４４は、一方の面に、いずれかの封止端部側の部位に、開封用テープ４５が貼着されているとともに、他方の面に、前記開封用テープ４５の凹部４５ａ１の位置に対応した位置（表裏対象となる位置）に押切加工部４６が設けられており、さらに、押切加工部４６が設けられている面側（すなわち、開封用テープ４５が設けられていない面側）に、開閉用テープ４７が貼着された構成を有している。前記開封用テープ４５は、テープ基材４５ａに長手方向に平行に直線状に、且つテープ基材４５ａの幅方向の中央部よりも幅方向の何れかの端部側にずれた位置に凹部４５ａ１が形成されており、凹部４５ａ１がずれて形成されている側の開封用テープの端部が、４方袋４４の何れかの封止端部４４ａ側となるように、開封用テープ４５が、４方袋４４の何れかの封止端部４４ａ側に貼着されている。そのため、図２２（ｂ）で示されるように、凹部４５ａ１に沿って切断して（Ｘ−Ｙ線で切断して）開封させた際には、開封袋４８の開口部の表面には、凹部が開封用テープの幅方向の中央部に形成されている場合よりも、離型処理層がより大きな面積で残存することになり、図２２（ｃ）で示されるように、開封袋４８における開閉用テープ４７の袋封止部位４７ｂを、容易に、開封袋４８の開口部の表面に残存する開封用テープ４５の部分における離型処理層４５ｃに貼着させることができる。
【０１７９】
開封用テープ及び開閉用テープが貼着された袋は、（ｉ）袋の開封しようとする部位（開封予定部位）に、開封用テープにおけるテープ基材に予め形成された凹部が位置するようにして、開封用テープを貼着させるとともに、袋の外面の所定の部位に、開閉用テープを貼着させる方法、（ii）袋を形成するための部材（又は袋部材）（例えば、閉鎖系袋の場合は、閉鎖して（封鎖して）閉鎖系袋を製造する際の閉鎖する前の部材）において、袋を形成した際に開封しようとする部位に相当する部位に、開封用テープにおけるテープ基材に予め形成された凹部が位置するようにして、開封用テープを貼着させるとともに、袋を形成した際に所定の位置となるような部位に、開閉用テープを貼着させた後、袋を形成させる方法や、これらの方法を組み合わせた方法などの各種の方法により製造することができる。
【０１８０】
（袋）
本発明において、開封用テープや開閉用テープを貼着させる袋としては、特に制限されず、密閉された形態の袋（密閉袋）等の閉鎖系の袋（閉鎖系袋）であってもよく、前記閉鎖系袋が開封された袋（開封袋）等の開口部を有する袋（開口袋）であってもよい。本発明では、少なくとも開封用テープを貼着させる袋（例えば、開封用テープのみが貼着された袋、開封用テープ及び開閉用テープが貼着された袋など）としては、閉鎖系袋が好適であり、開封用テープが貼着されていない袋（例えば、開閉用テープのみが貼着された袋）としては、閉鎖系袋、開口袋のいずれであってもよい。
【０１８１】
なお、閉鎖系袋としては、袋の開口部がなく、閉鎖された（封鎖された）形態を有する袋であればよい。従って、袋の素材又は材質により、閉鎖系袋は、通気性、透湿性などを有する形態の袋であってもよいが、密閉された形態の袋（密閉袋）であることが好ましい。閉鎖系袋としては、例えば、公知の閉鎖方法により閉鎖された形態の袋（特に、公知の密閉方法により密閉された形態の袋）から適宜選択して用いることができる。より具体的には、閉鎖系袋としては、図２３で示されるように、いわゆる「４方袋」、いわゆる「３方袋」、いわゆる「ピロー袋」、いわゆる「スタンディングパウチ」、いわゆる「ガゼット袋」などが挙げられる。このような閉鎖系袋における閉鎖方法（封鎖方法）としては、特に制限されず、熱融着による閉鎖方法、接着剤を用いた閉鎖方法などが挙げられる。
【０１８２】
図２３は、袋の種類を示す概略図である。図２３において、（ａ）は、いわゆる「４方袋」を示す平面図であり、（ｂ）は、いわゆる「３方袋」を示す平面図であり、（ｃ）は、いわゆる「ピロー袋」を示す平面図であり、（ｄ）は、いわゆる「スタンディングパウチ」を示す斜視図であり、（ｅ）は、いわゆる「ガゼット袋」を示す斜視図である。図２３において、４９は４方袋、４９ａは４方袋４９の封止端部、５０は３方袋、５０ａは折り曲げ部、５０ｂは封止端部、５１はピロー袋、５１ａは折り曲げ部、５１ｂは封止端部、５２はスタンディングパウチ、５２ａは封止部、５３はガゼット袋、５３ａは封止部である。
【０１８３】
なお、４方袋は、例えば、２枚の方形型のシート状基材を重ね合わせて、４辺の端部側の部分を、各種接着手段（熱融着など）により接着させて、封止端部を形成することにより作製することができる。また、３方袋は、例えば、１枚の方形型のシート状基材を、何れかの端部同士が対向している方向における中央部の１カ所で半分に折り曲げて２つ折りにし、３辺の端部側の部位を、各種接着手段（熱融着など）により接着させて、封止端部を形成することにより作製することができる。ピロー袋は、１枚の方形型のシート状基材を、端部同士が重なり合い、且つ何れかの端部同士が対向している方向における中央部の以外の２カ所で折り曲げて、３辺の端部側の部位を、各種接着手段（熱融着など）により接着させて、封止端部を形成することにより作製することができる。スタンディングパウチやガゼット袋などについても、１枚又は複数枚のシート状基材を用いて、公知乃至慣用の方法により作製することができる。
【０１８４】
袋の素材としては、特に制限されず、例えば、紙（洋紙、和紙など）、織布、不織布、金属、樹脂（プラスチック）など、何れの素材であってもよい。これらの素材は、単独で用いられていてもよく、２種以上組み合わせて用いられていてもよい。従って、閉鎖系袋としては、紙とプラスチックフィルムとによる積層体や、金属箔とプラスチックフィルムとによる積層体等の各種積層体を素材としていてもよい。また、袋の表面には、各種の表面処理（例えば、剥離処理、コーティング処理、印刷処理等）が施されていてもよい。
【０１８５】
なお、このような袋の内部に収納する内容物としては、特に制限されない。例えば、袋として、４方袋が用いられる場合、内容物として、パップ剤が収納されていてもよい。
【実施例】
【０１８６】
以下、実施例を挙げて本発明をより具体的に説明するが、本発明は実施例のみに限定されるものではない。
【０１８７】
（実施例１）
ポリプロピレン樹脂を、Ｔダイ成形により、外周面の円周方向に直線状に形成された凸部（幅；２ｍｍ、高さ：０．２ｍｍ）を有する冷却ロールを用いてタッチロール形式にて圧力を加えて成形することにより、凹部を有するフィルムを得た。この凹部を有するフィルムは厚みが１００μｍであり、且つ凹部（幅：２ｍｍ、深さ：５０μｍ）が、フィルムの一方の面に、フィルムの長手方向に直線状に延びた状態で幅方向の中央部に形成されている。
【０１８８】
前記凹部を有するフィルムの平面側の面に、スチレン−イソプレン−スチレンブロック共重合体系粘着剤（ＳＩＳ系粘着剤）を塗布して、粘着剤層（厚さ：３０μｍ）を形成し、また、背面に（凹部を有するフィルムの凹部が形成されている側の面に）、シリコーン系離型処理剤を塗布して、離型処理剤層（厚さ：２μｍ）を形成して、開封用テープとしての粘着テープ［幅：２０ｍｍ、幅方向（ＴＤ方向）の中央部に、長手方向（ＭＤ方向）に直線状に延びた凹部（幅：２ｍｍ、深さ：５０μｍ）が形成されている］を作製した。この粘着テープを、「開封用テープＡ」と称する場合がある。
【０１８９】
開封用テープＡを、４方袋の開封予定部位（閉鎖系袋の開封しようとする部位）の一方の表面（外面）のみに貼り付けて、サンプルを作製した。すなわち、開封用テープＡを４方袋の開封用テープとして用いて、４方袋の開封予定部位の片面側のみに貼着させた。
【０１９０】
（実施例２）
実施例１と同様にして、開封用テープとしての粘着テープ［幅：２０ｍｍ、幅方向（ＴＤ方向）の中央部に、長手方向（ＭＤ方向）に直線状に延びた凹部（幅：２ｍｍ、深さ：５０μｍ）が形成されている］を作製した。この粘着テープを、「開封用テープＢ」と称する場合がある。
【０１９１】
開封用テープＢを、４方袋の開封予定部位の両面側の表面（外面）に、表裏で対称となる形態で貼り付けて、サンプルを作製した。すなわち、開封用テープＢを４方袋の開封用テープとして用いて、４方袋の開封予定部位の両面側に、表裏対称となるように貼着させた。
【０１９２】
（実施例３）
ポリプロピレン樹脂を、Ｔダイ成形により、外周面の円周方向に波状形状に形成された凸部（幅；２ｍｍ、高さ：０．２ｍｍ）を有する冷却ロールを用いてタッチロール形式にて圧力を加えて成形することにより、凹部を有するフィルムを得た。この凹部を有するフィルムは厚みが１００μｍであり、且つ凹部（幅：２ｍｍ、深さ：５０μｍ）が、フィルムの一方の面に、フィルムの長手方向に波形形状に延びた状態で幅方向の中央部に形成されている。
【０１９３】
前記凹部を有するフィルムの平面側の面に、ＳＩＳ系粘着剤を塗布して、粘着剤層（厚さ：３０μｍ）を形成し、また、背面に（凹部を有するフィルムの凹部が形成されている側の面に）、シリコーン系離型処理剤を塗布して、離型処理剤層（厚さ：２μｍ）を形成して、開封用テープとしての粘着テープ［幅：２０ｍｍ、幅方向（ＴＤ方向）の中央部に、長手方向（ＭＤ方向）に波形形状に延びた凹部（幅：２ｍｍ、深さ：５０μｍ）が形成されている］を作製した。この粘着テープを「開封用テープＣ」と称する場合がある。
【０１９４】
開封用テープＣを、４方袋の開封予定部位の両面側の表面（外面）に、表裏で非対称となる形態（なお、袋の幅方向の端部では表裏で対称となっている。また、凹部が波形形状のため、端部以外の部位では、部分的には表裏で対称となっている部位もあるが、基本的には表裏で非対称となっている）で貼り付けて、サンプルを作製した。すなわち、開封用テープＣを４方袋の開封用テープとして用いて、４方袋の開封予定部位の両面側に、基本的には表裏非対称となるように貼着させた。
【０１９５】
（評価）
実施例１〜３により得られたサンプル（各２０袋）について、粘着テープにおけるテープ基材（ポリプロピレン樹脂製フィルム）に形成された凹部に沿って、４方袋の幅方向の端部より手で開封して、開封テストを行って、その際の開封のし易さ（切断性）、開封予定部位での切断性（袋の開封性）、開口部の形状（開封面の美観性）などについて評価した。なお、評価結果は表１に示した。
【０１９６】
【表１】
2006077085.tif 000003
【０１９７】
（実施例４）
図２４（ａ）及び（ｂ）で示されるように、一軸延伸ポリプロピレン製フィルム（ＯＰＰフィルム；厚さ：４０μｍ、長さ：４５ｍｍ）５４の片面の所定の部位（一方の端部５４ａから１９ｍｍの部位）に、スチレン−イソプレン−スチレンブロック共重合体系粘着剤（ＳＩＳ系粘着剤）を塗布して、粘着剤層（厚さ：３０μｍ）５５を形成した後、該粘着剤層５５が形成された面と同一の面の所定の部位に（他方の端部５４ｂから２５ｍｍの部位）にシリコーン系離型処理剤を塗布して、離型処理剤層（厚さ：２μｍ）５８を形成し、また、前記ＯＰＰフィルム５４の他方の面の所定の部位（他方の端部５４ｂから５ｍｍ離れた部位から１５ｍｍの部位の間の部位）に、スチレン−イソプレン−スチレンブロック共重合体系粘着剤（ＳＩＳ系粘着剤）を塗布して、粘着剤層（厚さ：３０μｍ）５７を形成した後、該粘着剤層５７が形成された面と同一の面の所定の部位に（一方の端部５４ａから２０ｍｍの部位）にシリコーン系離型処理剤を塗布して、離型処理剤層（厚さ：２μｍ）５６を形成し、さらにまた、Ｘ´−Ｙ´線で、離型処理剤層５６と粘着剤層５７とが接触するように折り畳んで、開閉用テープとしての、袋貼着部位５９ａと、袋封止部位５９ｂとが積層された積層構造を有する粘着テープ５９を作製した。この粘着テープを「開閉用テープＡ」と称する場合がある。なお、開閉用テープＡとしての粘着テープ５９において、袋貼着部位５９ａは、粘着剤層５５と、テープ基材５４の端部５４ａ側の部位と、離型処理層５６とにより形成されており、袋封止部位５９ｂは、粘着剤層５７と、テープ基材５４の端部５４ｂ側の部位と、離型処理層５８とにより形成されている。この際、袋貼着部位５９ａのテープ基材と、袋封止部位５９ｂのテープ基材とは、図２４（ｂ）で示されるように、１枚の連続的に形成されているテープ基材が折り曲げられることにより形成された構造を有しており、この１枚の連続的に形成されているテープ基材を折り曲げた際の折り曲げ部で、接合している。しかも、袋封止部位５９ｂの粘着剤層５７は、前記折り曲げ部側の部位（すなわち、袋貼着部位５９ａと袋封止部位５９ｂとが接合している接合部側の部位）には、折り曲げ部から５ｍｍの幅で形成されていない構成となっている。また、袋封止部位５９ｂにおいて、端部５９ｂ側の先端部位は、粘着剤層が形成されておらず、摘み部５４ｂ１となっている。
【０１９８】
前記開閉用テープＡを、開口部を有する袋（開口袋）における開口部を折り曲げて折り畳んだ際に、開口部を折り畳んだ際の端部又は端部側の部位を、開閉用テープにおける袋貼着部位と袋封止部位との間に位置させることができる開口袋の外面の部位に、貼り付けて、サンプル（開閉用テープが貼着された開口袋）を作製した。
【０１９９】
なお、図２４は、実施例４において、開閉用テープの製造方法を示す概略図である。
【０２００】
（実施例５）
袋封止部位の粘着剤層を、１枚の連続的に形成されているテープ基材を折り曲げて、袋貼着部位のテープ基材と、袋封止部位のテープ基材とにする際の折り曲げ部側の部位（すなわち、袋貼着部位と袋封止部位とが接合している接合部側の部位）に、折り曲げ部から２ｍｍの幅で形成しなかったこと以外は、実施例４と同様にして、開閉用テープとしての、袋貼着部位と、袋封止部位とが積層された積層構造を有する粘着テープ（「開閉用テープＢ」と称する場合がある。）を作製した。また、開閉用テープＢを用いたこと以外は、実施例４と同様にして、開口袋の外面の部位に開閉用テープを貼り付けて、サンプル（開閉用テープが貼着された開口袋）を作製した。
【０２０１】
（実施例６）
袋封止部位の粘着剤層を、１枚の連続的に形成されているテープ基材を折り曲げて、袋貼着部位のテープ基材と、袋封止部位のテープ基材とにする際の折り曲げ部側の部位（すなわち、袋貼着部位と袋封止部位とが接合している接合部側の部位）に、折り曲げ部から１０ｍｍの幅で形成しなかったこと以外は、実施例４と同様にして、開閉用テープとしての、袋貼着部位と、袋封止部位とが積層された積層構造を有する粘着テープ（「開閉用テープＣ」と称する場合がある。）を作製した。また、開閉用テープＣを用いたこと以外は、実施例４と同様にして、開口袋の外面の部位に開閉用テープを貼り付けて、サンプル（開閉用テープが貼着された開口袋）を作製した。
【０２０２】
（比較例１）
袋封止部位の粘着剤層を、１枚の連続的に形成されているテープ基材を折り曲げて、袋貼着部位のテープ基材と、袋封止部位のテープ基材とにする際の折り曲げ部側の部位（すなわち、袋貼着部位と袋封止部位とが接合している接合部側の部位）に、折り曲げ部の部分まで形成したこと以外は、実施例４と同様にして、開閉用テープとしての、袋貼着部位と、袋封止部位とが積層された積層構造を有する粘着テープ（「開閉用テープＤ」と称する場合がある。）を作製した。また、開閉用テープＤを用いたこと以外は、実施例４と同様にして、開口袋の外面の部位に開閉用テープを貼り付けて、サンプル（開閉用テープが貼着された開口袋）を作製した。
【０２０３】
（評価）
実施例４〜６および比較例１により得られたサンプル（各２０袋）について、開口袋の開口部を、開閉用テープにおける袋貼着部位と袋封止部位との間に位置させるように、折り畳み、開口部の表面に、袋封止部位を貼着させて、開口袋を封止させ、この封止の際の作業性および封止性について評価した。なお、評価結果は表２に示した。
【０２０４】
【表２】
2006077085.tif 000004
【０２０５】
（実施例７）
開封用テープとして、実施例１と同様にして作製された開封用テープＡを用いるとともに、開閉用テープとして、実施例４と同様にして作製された開閉用テープＡを用いた。
【０２０６】
そして、開封用テープＡを、４方袋の開封予定部位（４方袋の開封しようとする部位）の片面側の表面（外面）に、貼り付けるとともに、他方の面に、前記開封用テープＡの凹部の位置に対応した位置（表裏対象となる位置）に押切加工部を設け、さらに、前記開閉用テープＡを、押切加工部が形成された側の面に、袋を開封用テープの凹部に沿って切断して開封した際の開封された袋（開封袋）における開口部を折り曲げて折り畳んだ際に、開口部を折り畳んだ際の端部又は端部側の部位を、開閉用テープにおける袋貼着部位と袋封止部位との間に位置させることができる開封袋の外面の部位に、貼り付けて、サンプル（開封用テープと開閉用テープとが貼着された閉鎖系袋）を作製した。
【０２０７】
（実施例８）
開封用テープＡを、４方袋の開封予定部位（４方袋の開封しようとする部位）の両面側の表面（外面）に、貼り付け、押切加工部を設けなかったこと以外は、実施例７と同様にして、開封用テープ及び開閉用テープを開封袋の外面のそれぞれの所定の部位に、貼り付けて、サンプル（開封用テープと開閉用テープとが貼着された閉鎖系袋）を作製した。
【０２０８】
（実施例９）
ポリプロピレン樹脂を、Ｔダイ成形により、外周面の円周方向に直線状に形成された凸部（幅；２ｍｍ、高さ：０．２ｍｍ）を有する冷却ロールを用いてタッチロール形式にて圧力を加えて成形することにより、凹部を有するフィルム（幅：２０ｍｍ）を得た。この凹部を有するフィルムは厚みが１００μｍであり、且つ凹部（幅：２ｍｍ、深さ：５０μｍ）が、フィルムの一方の面に、フィルムの長手方向に直線状に延びた状態で幅方向の中央部よりも幅方向の何れかの端部側にずれた位置（幅方向の端部から５ｍｍの位置）に形成されている。
【０２０９】
前記凹部を有するフィルムの平面側の面に、スチレン−イソプレン−スチレンブロック共重合体系粘着剤（ＳＩＳ系粘着剤）を塗布して、粘着剤層（厚さ：３０μｍ）を形成し、また、背面に（凹部を有するフィルムの凹部が形成されている側の面に）、シリコーン系離型処理剤を塗布して、離型処理剤層（厚さ：２μｍ）を形成して、開封用テープとしての粘着テープ［幅：２０ｍｍ、幅方向（ＴＤ方向）の端部から５ｍｍの位置に（中央部よりも幅方向の何れかの端部側にずれた位置に）、長手方向（ＭＤ方向）に直線状に延びた凹部（幅：２ｍｍ、深さ：５０μｍ）が形成されている］を作製した。この粘着テープを、「開封用テープＤ」と称する場合がある。
【０２１０】
この開封用テープＤを用いたこと以外は、実施例７と同様にして、開封用テープ及び開閉用テープを開封袋の外面のそれぞれの所定の部位に、貼り付けて、サンプル（開封用テープと開閉用テープとが貼着された閉鎖系袋）を作製した。
【０２１１】
（比較例２）
市販の帯状のミシン目加工付き、凹凸ジッパーのついたパップ剤袋を用いた。
【０２１２】
（評価）
実施例７〜９および比較例２により得られたサンプル（各２０袋）について、粘着テープにおけるテープ基材（ポリプロピレン樹脂製フィルム）に形成された凹部に沿って、袋の幅方向の端部より手で開封して、開封テストを行って、その際の開封のし易さ（切断性）、開封予定部位での切断性（袋の開封性）、開口部の形状（開封面の美観性）などについて評価した。また、開封した後、それぞれ所定の方法で、開閉可能な形態で封止させるとともに、開封して、開閉テストを行って、この開閉の際の開閉作業性について評価した。なお、評価結果は表３に示した。
【０２１３】
【表３】
2006077085.tif 000005
【図面の簡単な説明】
【０２１４】
【図１】本発明の袋の開封用テープの一例を示す概略断面図である。
【図２】本発明におけるテープ基材に予め形成されている凹部の一例を部分的に示す概略斜視図である。
【図３】本発明におけるテープ基材に予め形成されている凹部の一例を示す概略断面図である。
【図４】本発明の袋の開閉用テープの一例を示す概略断面図である。
【図５】本発明の袋の開閉用テープの他の例を示す概略断面図である。
【図６】本発明の開閉用テープの例を示す概略断面図である。
【図７】開封用テープが貼着された袋の一例を示す概略平面図である。
【図８】開封用テープが貼着された袋の他の例を示す概略平面図である。
【図９】開封用テープが貼着された袋の他の例を示す概略平面図である。
【図１０】開封用テープが貼着された袋の例を示す概略断面図である。
【図１１】一方の面に開封用テープが貼着され、且つ他方の面に押切加工が施された袋の例を示す概略図である。
【図１２】開封用テープが貼着された４方袋の例を示す概略図である。
【図１３】開封用テープが貼着された４方袋の例を示す概略図である。
【図１４】開封用テープが貼着され且つ切断きっかけ用切れ目が形成された袋の例を示す概略平面図である。
【図１５】開封用テープが貼着された袋の例を示す概略平面図である。
【図１６】開閉用テープが貼着された袋の一例を示す概略平面図である。
【図１７】図１６（ａ）で示される開口袋を開閉用テープにより封止させている状態の例を示す概略断面図であり、図１７（ａ）は平面図、図１７（ｂ）は断面図である。
【図１８】開封用テープ及び開閉用テープが貼着された袋の一例を示す概略平面図である。
【図１９】開封用テープ及び開閉用テープが貼着された袋を、開封用テープの凹部を利用して開封させた状態の例を示す概略図であり、図１９（ａ）は平面図、図１９（ｂ）は断面図である。
【図２０】開封用テープ及び開閉用テープが貼着された袋を開封させた後に、開閉用テープを利用して封止させた状態の例を示す概略図であり、図２０（ａ）は平面図、図２０（ｂ）は断面図である。
【図２１】本発明の開封・開閉用テープ貼着袋の例を示す概略断面図である。
【図２２】本発明の開封・開閉用テープ貼着袋の例を示す概略断面図であり、図２２（ａ）は、開封用テープ及び開閉用テープが貼着された袋を示し、図２２（ｂ）は（ａ）の袋を開封させた開封袋を示し、図２２（ｃ）は（ｂ）の開封袋を開閉用テープを利用して封止した状態を示している。
【図２３】袋の種類を示す概略図である。
【図２４】実施例４において、開閉用テープの製造方法を示す概略図である。
【符号の説明】
【０２１５】
１        開封用テープ
１ａ      テープ基材
１ａ１    テープ基材に予め形成された凹部
１ｂ      粘着剤層
１ｃ      離型処理剤層
2a〜2d    テープ基材
2a1〜2d1  テープ基材2a〜2dにおける凹部
3a〜3c    テープ基材
3a1〜3c1  テープ基材3a〜3cにおける凹部
４        開閉用テープ
４ａ      開閉用テープ４における袋貼着部位
４ａ１    袋貼着部位４ａにおけるテープ基材
４ａ２    袋貼着部位４ａにおける粘着剤層
４ａ３    袋貼着部位４ａにおける離型処理剤層
４ｂ      開閉用テープ４における袋封止部位
４ｂ１    袋封止部位４ｂにおけるテープ基材
４ｂ２    袋封止部位４ｂにおける粘着剤層
４ｂ３    袋封止部位４ｂにおける離型処理剤層
５ａ      袋貼着部位４ａ又はテープ基材４ａ１の開放端部（自由端部）
５ｂ      袋貼着部位４ａと袋封止部位４ｂとの接合部
５ｃ      袋封止部位４ｂ又はテープ基材４ｂ１の開放端部（自由端部）
６        摘み部
Ａ        袋貼着部位４ａと袋封止部位４ｂとが剥離可能に接着されている接着部位
Ｂ        袋貼着部位４ａと袋封止部位４ｂとが接着されていない非接着部位
１０      ４方袋
１０ａ    ４方袋１０における周囲の封止端部
１０ａ１  一方の短辺の封止端部
１０ａ２  他方の短辺の封止端部
１０ａ３  一方の長辺の封止端部
１０ａ４  他方の長辺の封止端部
１１      開封用テープ
１１ａ    開封用テープ１１におけるテープ基材に形成された凹部
１７      ４方袋
１７ａ    封止端部
１７ａ１  上部の封止端部
１７ａ２  下部の封止端部
１７ａ３  左部の封止端部
１７ａ４  右部の封止端部
１８      開封用テープ
１８ａ    開封用テープ１８におけるテープ基材
１８ａ１  テープ基材１８ａに形成された凹部
１８ｂ    開封用テープ１８における粘着剤層
１９      押切加工部
２６      ４方袋
２６ａ    封止端部
２７      開封用テープ
２７ａ    開封用テープ２７におけるテープ基材に形成された凹部
２８      切断きっかけ用切れ目
31a、31b  開口袋、
31a1、31b1  開口袋（31a，31b）における開口部
31a2、31b2  開口袋（31a，31b）における封止端部
32a、32b  開閉用テープ
３３      ４方袋
３３ａ    ４方袋３３における周囲の封止端部
３３ａ１  一方の短辺の封止端部
３３ａ２  他方の短辺の封止端部
３３ａ３  一方の長辺の封止端部
３３ａ４  他方の長辺の封止端部
３４      開封用テープ
３４ａ    開封用テープ３４におけるテープ基材に形成された凹部
３５      開閉用テープ
３５ａ    開閉用テープ３５の袋貼着部位
３５ａ１  袋貼着部位３５ａにおけるテープ基材
３５ａ２  袋貼着部位３５ａにおける粘着剤層
３５ｂ    開閉用テープ３５の袋封止部位
３５ｂ１  袋封止部位３５ｂにおけるテープ基材
３５ｂ２  袋封止部位３５ｂにおける粘着剤層
３５ｃ    開閉用テープ３５の摘み部
３６      開封用テープ
３６ａ    開封用テープ３６におけるテープ基材に形成された凹部
３７      開閉用テープ
３８      ４方袋３３を開封させた開封袋
３８ａ    開封袋３８における開口部
３８ｂ    開封袋３８の開口部３８ａを折り曲げた際の折り曲げ部
３９      開封用テープ３４における開封袋３８に貼着している部分
３９ａ    開封袋３８の一方の面に貼着されている開封用テープ袋本体貼着部
３９ａ１  開封用テープ袋本体貼着部３９ａの凹部
３９ａ２  開封用テープ袋本体貼着部３９ａのテープ基材
３９ａ３  開封用テープ袋本体貼着部３９ａの粘着剤層
３９ａ４  開封用テープ袋本体貼着部３９ａの離型処理層
３９ｂ    開封袋３８の他方の面に貼着されている開封用テープ袋本体貼着部
３９ｂ１  開封用テープ袋本体貼着部３９ｂの凹部
３９ｂ２  開封用テープ袋本体貼着部３９ｂのテープ基材
３９ｂ３  開封用テープ袋本体貼着部３９ｂの粘着剤層
３９ｂ４  開封用テープ袋本体貼着部３９ｂの離型処理層
【図１】
2006077085.tif 000006
【図２】
2006077085.tif 000007
【図３】
2006077085.tif 000008
【図４】
2006077085.tif 000009
【図５】
2006077085.tif 000010
【図６】
2006077085.tif 000011
【図７】
2006077085.tif 000012
【図８】
2006077085.tif 000013
【図９】
2006077085.tif 000014
【図１０】
2006077085.tif 000015
【図１１】
2006077085.tif 000016
【図１２】
2006077085.tif 000017
【図１３】
2006077085.tif 000018
【図１４】
2006077085.tif 000019
【図１５】
2006077085.tif 000020
【図１６】
2006077085.tif 000021
【図１７】
2006077085.tif 000022
【図１８】
2006077085.tif 000023
【図１９】
2006077085.tif 000024
【図２０】
2006077085.tif 000025
【図２１】
2006077085.tif 000026
【図２２】
2006077085.tif 000027
【図２３】
2006077085.tif 000028
【図２４】
2006077085.tif 000029